【手続補正書】
【提出日】令和3年7月5日(2021.7.5)
【手続補正１】
【補正対象書類名】明細書
【補正対象項目名】全文
【補正方法】変更
【補正の内容】
【発明の詳細な説明】
【発明の名称】リソース割り当てのための方法、ネットワーク機器及び端末機器
【技術分野】
【０００１】
本願は、２０１７年１０月３０日に中国国家知識産権局に出願された、出願番号がＰＣＴ／ＣＮ２０１７／１０８４２１の、「リソース割り当てのための方法、ネットワーク機器及び端末機器」と題するＰＣＴ特許出願及び２０１８年４月２５日に中国国家知識産権局に出願された、出願番号がＰＣＴ／ＣＮ２０１８／０８４４９７の、「リソース割り当てのための方法、ネットワーク機器及び端末機器」と題するＰＣＴ特許出願の優先権を主張し、当該出願の全体が参照によりここに組み込まれる。
【０００２】
本願は、通信分野に関し、特にリソース割り当てのための方法、ネットワーク機器及び端末機器に関する。
【背景技術】
【０００３】
ビークルのインターネット（ｖｅｈｉｃｌｅ  ｔｏ  Ｘ、Ｖ２Ｘ）シーンでは、ネットワーク機器はシステム情報ブロック（ｓｙｓｔｅｍ  ｉｎｆｏｒｍａｔｉｏｎ  ｂｌｏｃｋ、ＳＩＢ）によって端末機器に該端末機器が他の端末機器と通信するために用いられる受信リソースプールを指示してもよい。
【０００４】
具体的には、該ネットワーク機器が端末機器に対して１つの受信リソースプールを配置するとき、該ネットワーク機器はＳＩＢによって該受信リソースプールを指示してもよく、ここで、該受信リソースプールに対応する同期参照元（ｓｙｎｃ  ｒｅｆｅｒｅｎｃｅ）は端末機器により該ネットワーク機器から送信された同期参照信号に基づいて確定してもよい。しかしながら、ネットワーク機器が端末機器に対して複数の受信リソースプールを配置するとき、例えば、該複数の受信リソースプールは異なる同期参照元に対応し、該異なる同期参照元は端末機器により異なるネットワーク機器の参照信号に基づいて確定してもよく、ＳＩＢのサイズ制限により、ＳＩＢによって全ての受信リソースプールを指示できない可能性がある。
【０００５】
また、ネットワーク機器は該ＳＩＢによって端末機器にパラメータ情報を送信してもよく、具体的には、該ＳＩＢは少なくとも１つの端末機器がサイドリンク通信で使用されている複数のパラメータを含んでもよいが、ＳＩＢのサイズ制限により、ＳＩＢによって全ての端末機器の複数のパラメータを送信できない可能性がある。そして、該端末機器が複数の動作モードをサポートするとき、例えば高バージョンの端末機器が低バージョンの動作モードを兼ねるとき、ネットワーク機器は端末機器の動作モードを確定し、さらに端末機器に対応するパラメータを含む情報を送信する必要もあるので、端末機器がサイドリンク通信で、動作モードを選択する柔軟性に欠ける。
【発明の概要】
【発明が解決しようとする課題】
【０００６】
本願は、端末機器に受信リソースプールを柔軟に配置できるリソース割り当てのための方法、ネットワーク機器及び端末機器を提供する。
【課題を解決するための手段】
【０００７】
第１の態様にて提供されるリソース割り当てのための方法は、ネットワーク機器が、端末機器に対して、該端末機器が他の端末機器から送信されたデータを受信するために用いられ、異なる同期参照元に対応する複数の受信リソースプールを割り当てるステップと、該ネットワーク機器が、該複数の受信リソースプールのうち、少なくとも１つの受信リソースプールを確定するステップと、該ネットワーク機器が、該端末機器に対して、該少なくとも１つの受信リソースプールを指示するためのＳＩＢを送信するステップと、を含む。
【０００８】
第２の態様にて提供されるリソース割り当てのための方法は、端末機器がネットワーク機器から送信されたＳＩＢを受信するステップと、該端末機器が該ＳＩＢに基づき、該端末機器が他の端末機器から送信されたデータを受信するために用いられ、該ネットワーク機器により割り当てられた複数の受信リソースプールのうちの少なくとも１つの受信リソースプールを確定するステップと、を含む。
【０００９】
したがって、本願の実施例に係るリソース割り当てのための方法によれば、端末機器がネットワーク機器から送信されたＳＩＢを受信し、且つ該ＳＩＢに基づいて少なくとも１つの受信リソースプールを確定し、アイドル状態にある端末機器に対して該受信リソースプールを割り当てることができる。また、専用ＲＲＣシグナリングに基づいて受信リソースプールを確定でき、例えばアイドル状態にある端末機器が受信した同期参照信号に基づいて確定した同期参照元が、ＳＩＢによって指示される少なくとも１つの受信リソースプールに対応する同期参照元に属しないとき、該端末機器はアイドル状態から接続状態に切り替えてもよく、専用ＲＲＣシグナリングを受信して該専用ＲＲＣシグナリングによって指示される受信リソースプールを確定し、アイドル状態にある端末機器を専用ＲＲＣシグナリングのみによって指示できないことを回避し、ＳＩＢのサイズ制限を回避することもでき、これにより該受信リソースプールの柔軟な配置を実現する。
【００１０】
第３の態様にて提供されるパラメータ配置のための方法は、少なくとも１つの端末機器がサイドリンク通信における少なくとも１つのパラメータを確定するための第１のシステム情報ブロックＳＩＢ及び第２のＳＩＢをネットワーク機器が確定するステップと、前記ネットワーク機器が、前記少なくとも１つの端末機器に対して、前記第１のＳＩＢ及び前記第２のＳＩＢを送信するステップと、を含む。
【００１１】
第４の態様にて提供されるパラメータ配置のための方法は、端末機器がネットワーク機器から送信された第１のシステム情報ブロックＳＩＢ及び／又は第２のＳＩＢを受信するステップと、受信した前記第１のＳＩＢ及び／又は前記第２のＳＩＢに基づき、前記端末機器がサイドリンク通信における少なくとも１つのパラメータを確定するステップと、を含む。
【００１２】
したがって、本願の実施例に係るパラメータ配置のための方法によれば、ネットワーク機器が少なくとも１つの端末機器に対して第１のＳＩＢ及び第２のＳＩＢを送信し、該少なくとも１つの端末機器のうちのいずれかの端末機器について、該端末機器が第１のＳＩＢ及び／又は第２のＳＩＢを受信し、該端末機器が１つ又は複数のフォーマットでのサイドリンク通信をサポートでき、該端末機器が受信した該第１のＳＩＢ及び／又は第２のＳＩＢに基づき、対応する少なくとも１つのパラメータを確定し、且つ該少なくとも１つのパラメータに基づいてサイドリンク通信を行うことができ、さらにネットワーク機器がＳＩＢによって１つのパラメータの異なるフォーマットでの異なる値をブロードキャストすることを実現し、且つ異なるフォーマットをサポートする端末機器に対応するパラメータを取得させ、これによりパラメータの柔軟な配置を実現する。
【００１３】
第５の態様にて提供されるパラメータ配置のための方法は、第１のフォーマット及び第２のフォーマットでのサイドリンク通信をサポートする端末機器の、前記端末機器が前記第１のフォーマット及び前記第２のフォーマットで前記サイドリンク通信を行う少なくとも１つのパラメータを含むパラメータ情報をネットワーク機器が確定するステップと、前記ネットワーク機器が、前記端末機器に対して、前記端末機器が前記少なくとも１つのパラメータを確定するための前記パラメータ情報を送信するステップと、を含む。
【００１４】
第６の態様にて提供されるパラメータ配置のための方法は、第１のフォーマット及び第２のフォーマットでのサイドリンク通信をサポートする端末機器が、前記端末機器が前記第１のフォーマット及び前記第２のフォーマットで前記サイドリンク通信を行う少なくとも１つのパラメータを含む、ネットワーク機器から送信されたパラメータ情報を受信するステップと、前記端末機器が前記パラメータ情報に基づき、前記第１のフォーマットに対応する前記少なくとも１つのパラメータ及び前記第２のフォーマットに対応する前記少なくとも１つのパラメータを確定するステップと、を含む。
【００１５】
したがって、本願の実施例に係るパラメータ配置のための方法によれば、端末機器がネットワーク機器から送信されたパラメータ情報を受信し、該端末機器が第１のフォーマット及び第２のフォーマットでのサイドリンク通信をサポートでき、それ相応に、端末機器が該パラメータ情報に基づき、２つのフォーマットに対応するパラメータを確定できるように、該パラメータ情報に第１のフォーマットに対応するパラメータ及び第２のフォーマットに対応するパラメータを含み、これにより端末機器が異なるフォーマットを選択して動作し、且つ対応するパラメータを採用することを可能にする。
【００１６】
第７の態様にて提供されるネットワーク機器は、前述の第１、第３及び第５の態様のいずれか又はそれらの各実現形態における方法を実行するために用いられる。具体的には、該ネットワーク機器は、前述の第１、第３及び第５の態様のいずれか又はそれらの各実現形態における方法を実行するための機能モジュールを含む。
【００１７】
第８の態様にて提供される端末機器は、前述の第２、第４及び第６の態様のいずれか又はそれらの各実現形態における方法を実行するために用いられる。具体的には、該端末機器は、前述の第２、第４及び第６の態様のいずれか又はそれらの各実現形態における方法を実行するための機能モジュールを含む。
【００１８】
第９の態様にて提供されるネットワーク機器は、コマンドを記憶するためのメモリと、該メモリに記憶されたコンピュータプログラムを呼び出して実行することで、前述の第１、第３及び第５の態様のいずれか又はそれらの各実現形態における方法を実行するためのプロセッサと、を含む。
【００１９】
第１０の態様にて提供される端末機器は、コマンドを記憶するためのメモリと、該メモリに記憶されたコンピュータプログラムを呼び出して実行することで、前述の第２、第４及び第６の態様のいずれか又はそれらの各実現形態における方法を実行するためのプロセッサと、を含む。
【００２０】
第１１の態様にて提供されるチップは、前述の第１の態様乃至第６の態様のいずれか又はそれらの各実現形態における方法を実現するために用いられる。具体的には、該チップは、メモリからコンピュータプログラムを呼び出して実行することで、前述の第１の態様乃至第６の態様のいずれか又はそれらの各実現形態における方法を該チップが搭載された機器に実行させるためのプロセッサを含む。
【００２１】
第１２の態様にて提供されるコンピュータ読み取り可能な記憶媒体は、前述の第１の態様乃至第６の態様のいずれか又はそれらの各実現形態における方法をコンピュータに実行させるためのコンピュータプログラムを記憶するために用いられる。
【００２２】
第１３の態様にて提供されるコンピュータプログラム製品は、前述の第１の態様乃至第６の態様のいずれか又はそれらの各実現形態における方法をコンピュータに実行させるためのコンピュータプログラムコマンドを含む。
【００２３】
第１４の態様にて提供されるコンピュータプログラムは、コンピュータで実行されると、前述の第１の態様乃至第６の態様のいずれか又はそれらの各実現形態における方法をコンピュータに実行させる。
【００２４】
第１５の態様にて提供される通信システムは、ネットワーク機器と、端末機器と、を含む。具体的には、前記ネットワーク機器は、前述の第１の態様、第３の態様及び第５の態様のいずれか又はそれらの各実現形態における方法を実行するために用いられ、及び前記端末機器は、前述の第２の態様、第４の態様及び第６の態様のいずれか又はそれらの各実現形態における方法を実行するために用いられる。
【図面の簡単な説明】
【００２５】
【図１】本願の実施例によるリソース割り当てのための方法の概略フローチャートである。
【図２】本願の実施例によるリソース割り当てのための方法の別の概略フローチャートである。
【図３】本願の実施例によるネットワーク機器の概略ブロック図である。
【図４】本願の実施例による端末機器の概略ブロック図である。
【図５】本願の実施例によるネットワーク機器の別の概略ブロック図である。
【図６】本願の実施例による端末機器の別の概略ブロック図である。
【図７】本願の実施例によるパラメータ配置のための方法の概略フローチャートである。
【図８】本願の実施例によるパラメータ配置のための方法の別の概略フローチャートである。
【図９】本願の実施例によるパラメータ配置のための方法のさらに別の概略フローチャートである。
【図１０】本願の実施例によるパラメータ配置のための方法のさらに別の概略フローチャートである。
【図１１】本願の別の実施例によるネットワーク機器の概略ブロック図である。
【図１２】本願のさらに別の実施例による端末機器の概略ブロック図である。
【図１３】本願のさらに別の実施例によるネットワーク機器の概略ブロック図である。
【図１４】本願のさらに別の実施例による端末機器の概略ブロック図である。
【図１５】本願の実施例による通信機器の概略ブロック図である。
【図１６】本願の実施例によるチップの概略ブロック図である。
【発明を実施するための形態】
【００２６】
以下、図面を参照しながら、本願の実施例における技術的解決手段について説明する。
【００２７】
本願の実施例の技術的解決手段は、例えば、グローバル移動通信システム（ｇｌｏｂａｌ  ｓｙｓｔｅｍ  ｏｆ  ｍｏｂｉｌｅ  ｃｏｍｍｕｎｉｃａｔｉｏｎ、ＧＳＭＣ）システム、符号分割多元接続（ｃｏｄｅ  ｄｉｖｉｓｉｏｎ  ｍｕｌｔｉｐｌｅ  ａｃｃｅｓｓ、ＣＤＭＡ）システム、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）システム、汎用パケット無線サービス（ｇｅｎｅｒａｌ  ｐａｃｋｅｔ  ｒａｄｉｏ  ｓｅｒｖｉｃｅ、ＧＰＲＳ）、ロングタームエボリューション（ｌｏｎｇ  ｔｅｒｍ  ｅｖｏｌｕｔｉｏｎ、ＬＴＥ）システム、ＬＴＥ周波数分割複信（ｆｒｅｑｕｅｎｃｙ  ｄｉｖｉｓｉｏｎ  ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサル移動通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ、ＵＭＴＳ）、ワイマックス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、ＷｉＭＡＸ）通信システム、将来の第５世代（５ｔｈ  ｇｅｎｅｒａｔｉｏｎ、５Ｇ）システム又は新しい無線（ｎｅｗ  ｒａｄｉｏ、ＮＲ）等が挙げられる、様々な通信システムに適用されることができる。
【００２８】
本願の実施例における端末機器は、ユーザ機器、アクセス端末、加入者ユニット、加入者局、移動局、移動ステーション、遠隔局、遠隔端末、移動機器、ユーザ端末、端末、無線通信機器、ユーザエージェント又はユーザ装置であってもよい。端末機器はまたセルラー電話、コードレス電話、セッション開始プロトコル（ｓｅｓｓｉｏｎ  ｉｎｉｔｉａｔｉｏｎ  ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）局、パーソナルデジタル処理（ｐｅｒｓｏｎａｌ  ｄｉｇｉｔａｌ  ａｓｓｉｓｔａｎｔ、ＰＤＡ）、無線通信機能を有する手持ち機器、コンピューティングデバイス、又はワイヤレスモデムに接続されたその他の処理機器、車載デバイス、ウェアラブルデバイス、将来の５Ｇネットワークにおける端末機器、又は将来の発展型の公衆陸上移動体ネットワーク（ｐｕｂｌｉｃ  ｌａｎｄ  ｍｏｂｉｌｅ  ｎｅｔｗｏｒｋ、ＰＬＭＮ）における端末機器等であってもよく、本願の実施例はこれについて限定しない。
【００２９】
本願の実施例におけるネットワーク機器は、端末機器と通信するための機器でもよく、該ネットワーク機器は、ＧＳＭＣシステム又は、ＣＤＭＡにおける基地局（ｂａｓｅ  ｔｒａｎｓｃｅｉｖｅｒ  ｓｔａｔｉｏｎ、ＢＴＳ）であってもよく、ＷＣＤＭＡシステムにおける基地局（ＮｏｄｅＢ、ＮＢ）であってもよく、又はＬＴＥシステムにおける発展型基地局（ｅｖｏｌｕｔｉｏｎａｌ  ＮｏｄｅＢ、ｅＮＢ又はｅＮｏｄｅＢ）であってもよく、又はクラウド無線アクセスネットワーク（ｃｌｏｕｄ  ｒａｄｉｏ  ａｃｃｅｓｓ  ｎｅｔｗｏｒｋ、ＣＲＡＮ）シーンにおけるワイヤレスコントローラであってもよい。或いは該ネットワーク機器は、中継局、アクセスポイント、車載デバイス、ウェアラブルデバイス及び将来の５Ｇネットワークにおけるネットワーク機器又は将来の発展型ＰＬＭＮネットワークにおけるネットワーク機器等であってもよく、本願の実施例はこれについて限定しない。
【００３０】
図１は、本願の実施例によるリソース割り当てのための方法１００を示す概略フローチャートであり、該方法１００は、ネットワーク機器により実行されてもよい。図１に示すように、該方法１００は、ネットワーク機器が、端末機器に対して、該端末機器が他の端末機器から送信されたデータを受信するために用いられ、異なる同期参照元に対応する複数の受信リソースプールを割り当てるＳ１１０と、該ネットワーク機器が、該複数の受信リソースプールのうち、少なくとも１つの受信リソースプールを確定するＳ１２０と、該ネットワーク機器が、該端末機器に対して、該少なくとも１つの受信リソースプールを指示するためのＳＩＢを送信するＳ１３０と、を含む。
【００３１】
本願の実施例では、ネットワーク機器は端末機器に対して複数の受信リソースプールを割り当て、該複数の受信リソースプールが複数の同期参照元に対応してもよく、該複数の同期参照元が異なる同期参照元である。１つの実施例において、該複数の受信リソースプールは該複数の同期参照元と１対１に対応してもよく、即ち該複数の受信リソースプールには同じ同期参照元に対応する受信リソースプールが存在しない。
【００３２】
本願の実施例では、ネットワーク機器は該複数の受信リソースプールのうち、ＳＩＢによって指示される少なくとも１つの受信リソースプールを確定し、１つの実施例において、ネットワーク機器は該複数の受信リソースプールに対応する同期参照元の違さに基づいて、或いは該ネットワーク機器はまた該複数の受信リソースプールの数に基づいて、該複数の受信リソースプールのうち、該少なくとも１つの受信リソースプールを確定してもよい。
【００３３】
アイドル状態にある端末機器について、専用無線リソース制御（ｒａｄｉｏ ｒｅｓｏｕｒｃｅ ｃｏｎｔｒｏｌ、ＲＲＣ）シグナリングによって該端末機器の受信リソースプールを指示できないことを考慮すると、ＳＩＢによってアイドル状態にある端末機器を指示してもよいことを理解されたい。ただし、ＳＩＢのサイズ制限により、ネットワーク機器が端末機器に対して割り当てた受信リソースプールをＳＩＢによって完全に指示できない可能性があるため、ＳＩＢ及び専用ＲＲＣシグナリングによって該複数の受信リソースプールを共通に指示することが考えられる。具体的には、ネットワーク機器が確定した該複数の受信リソースプールのうちの、該ＳＩＢによって指示される少なくとも１つの受信リソースプール以外の他の受信リソースプールについて、ネットワーク機器は、専用ＲＲＣシグナリングによって該他の受信リソースプールを指示してもよい。１つの実施例において、該ＳＩＢによって指示される少なくとも１つの受信リソースプールに対応する同期参照元は、ＲＲＣによって指示される他の受信リソースプールに対応する同期参照元と異なる。
【００３４】
１つの実施例において、該複数の受信リソースプールには、ＳＩＢを送信するネットワーク機器から送信された同期参照信号に対応する第１の同期参照元に対応する第１の受信リソースプールを含んでもよく、即ち端末機器は該ネットワーク機器から送信された同期参照信号に基づいて該第１の同期参照元を確定してもよい。１つの実施例において、ネットワーク機器は、ＳＩＢによって該第１の受信リソースプールを指示してもよく、即ち該ＳＩＢによって指示される少なくとも１つの受信リソースプールには該第１の受信リソースプールを含み、専用ＲＲＣシグナリングを用いて該第１の受信リソースプールを指示しない。
【００３５】
１つの実施例において、該複数の受信リソースプールには、グローバルナビゲーション衛星システム（Ｇｌｏｂａｌ Ｎａｖｉｇａｔｉｏｎ ＳａｔｅｌｌｉｔｅＳｙｓｔｅｍ、ＧＮＳＳ）から送信されたＧＮＳＳ信号に対応するＧＮＳＳ同期参照元に対応するＧＮＳＳ受信リソースプールを含んでもよく、即ち端末機器はＧＮＳＳから送信された同期信号に基づいて該ＧＮＳＳ同期参照元を確定してもよい。１つの実施例において、ネットワーク機器は、ＳＩＢによって該ＧＮＳＳ受信リソースプールを指示してもよく、即ち該ＳＩＢによって指示される少なくとも１つの受信リソースプールには該ＧＮＳＳ受信リソースプールを含み、専用ＲＲＣシグナリングを用いて該ＧＮＳＳ受信リソースプールを指示しない。
【００３６】
１つの実施例において、該ＧＮＳＳ受信リソースプールは全地球測位システム（Ｇｌｏｂａｌ Ｐｏｓｉｔｉｏｎｉｎｇ Ｓｙｓｔｅｍ，ＧＰＳ）受信リソースプールでもよく、それ相応に、該ＧＰＳ受信リソースプールはＧＰＳから送信されたＧＰＳ信号に対応するＧＰＳ同期参照元に対応し、即ち端末機器はＧＰＳから送信された同期信号に基づいて該ＧＰＳ同期参照元を確定してもよい。
【００３７】
該複数の受信リソースプールに該第１の受信リソースプールのみを含むか又はＧＮＳＳ受信リソースプールのみを含むとき、ネットワーク機器がＳＩＢのみによって該第１の受信リソースプール又はＧＮＳＳ受信リソースプールを指示してもよいことを理解されたい。該複数の受信リソースプールに該第１の受信リソースプール及びＧＮＳＳ受信リソースプールを含むとき、ネットワーク機器がＳＩＢのみによって該第１の受信リソースプール及びＧＮＳＳ受信リソースプールを指示してもよく、或いは、ＳＩＢ及び専用ＲＲＣシグナリングによって該第１の受信リソースプール及びＧＮＳＳ受信リソースプールを共通に指示し、例えば、ＳＩＢによって第１の受信リソースプールを指示し、且つ専用ＲＲＣシグナリングによってＧＮＳＳ受信リソースプールを指示し、或いは、ＳＩＢによって該ＧＮＳＳ受信リソースプールを指示し、且つ専用ＲＲＣシグナリングによって第１の受信リソースプールを指示するが、本願の実施例はこれに限定されない。
【００３８】
１つの実施例において、該複数の受信リソースプールには、少なくとも１つの第２の同期参照元に対応する少なくとも１つの第２の受信リソースプールを含んでもよく、該少なくとも１つの第２の受信リソースプールが少なくとも１つの第２の同期参照元と１対１に対応してもよい。該少なくとも１つの第２の同期参照元はネットワーク機器の少なくとも１つの隣接するネットワーク機器から送信された同期参照信号に対応し、即ち端末機器は少なくとも１つの隣接するネットワーク機器から送信された同期参照信号に基づき、該少なくとも１つの同期参照元を確定する。１つの実施例において、ネットワーク機器は専用ＲＲＣシグナリングによって該少なくとも１つの第２の受信リソースプールを指示してもよく、或いは、ネットワーク機器はＳＩＢによって指示してもよく、例えば、該少なくとも１つの第２の受信リソースプールの数が比較的少ない場合、ネットワーク機器は該ＳＩＢによって指示してもよく、或いは、該少なくとも１つの第２の受信リソースプールの数が比較的多い場合、ネットワーク機器はＳＩＢ及び専用ＲＲＣシグナリングによって該少なくとも１つの第２の受信リソースプールを共通に指示するが、該ＳＩＢ及び専用ＲＲＣシグナリングによって指示される第２の受信リソースプールが異なる同期参照元に対応する。
【００３９】
１つの実施例において、ＳＩＢのサイズ制限により、ＳＩＢによって指示される受信リソースプールの数が限られることを考慮すると、ネットワーク機器は、端末機器に対して割り当てた複数の受信リソースプールの数に応じて、該複数の受信リソースプールのうち、ＳＩＢによって指示される少なくとも１つの受信リソースプールを確定してもよい。具体的には、該複数の受信リソースプールの数が所定値以下である場合、ネットワーク機器は該ＳＩＢによって全ての複数の受信リソースプールを指示し、即ち該ＳＩＢによって指示される少なくとも１つの受信リソースプールの数は複数の受信リソースプールの数に等しい。該複数の受信リソースプールの数が該所定値より大きい場合、ネットワーク機器はＳＩＢ及び専用ＲＲＣによって該複数の受信リソースプールを共通に指示してもよく、即ち該ＳＩＢによって指示される少なくとも１つの受信リソースプールは該複数の受信リソースプールのうちの一部の受信リソースプールであり、該少なくとも１つの受信リソースプールの数は該複数の受信リソースプールの数より小さく、該複数の受信リソースプールのうちの、該ＳＩＢによって指示される少なくとも１つの受信リソースプール以外の他の受信リソースプールについて、専用ＲＲＣシグナリングによって指示してもよい。
【００４０】
複数の受信リソースプールの数が所定値より大きい場合、該複数の受信リソースプールに第１の受信リソースプール及び／又はＧＮＳＳ受信リソースプールを含み、且つ該複数の受信リソースプールにまた少なくとも１つの第２の受信リソースプールを含むと、該ＳＩＢは該第１の受信リソースプール及び／又はＧＮＳＳ受信リソースプールを優先的に指示し、該ＳＩＢのサイズ許容範囲内であれば、さらに該少なくとも１つの第２の受信リソースプールのうちの一部の受信リソースプールを指示してもよく、専用ＲＲＣシグナリングによって他の第２の受信リソースプールを指示することを理解されたい。
【００４１】
ネットワーク機器がＳＩＢ及び専用ＲＲＣシグナリングによって複数の受信リソースプールを共通に指示するとき、ＳＩＢによって指示される受信リソースプールに対応する同期参照元が専用ＲＲＣシグナリングによって指示される受信リソースプールに対応する同期参照元と異なり、即ちＳＩＢによって指示される受信リソースプールには、専用ＲＲＣシグナリングによって指示される受信リソースプールと同じ同期参照元に対応する受信リソースプールが存在しないことを理解されたい。
【００４２】
理解されるように、該所定値が実際の応用に応じて設置されてもよく、例えば、ＳＩＢのサイズに応じて確定してもよく、本願の実施例はこれに限定されない。
【００４３】
したがって、本願の実施例に係るリソース割り当てのための方法によれば、ネットワーク機器が端末機器に対して複数の受信リソースプールを配置し、且つ該複数の受信リソースプールに対応する同期参照元に基づき、ＳＩＢによって指示される受信リソースプールを確定し、専用ＲＲＣシグナリングのみによってアイドル状態にある端末機器を指示できないことを回避し、また、端末機器に対して割り当てた複数の受信リソースプールをＳＩＢ及び専用ＲＲＣシグナリングによって共通に指示でき、ＳＩＢのサイズ制限を回避し、これにより該受信リソースプールの柔軟な配置を実現する。
【００４４】
以上、図１を参照しながら、ネットワーク機器の角度から本願の実施例によるリソース割り当てのための方法について詳細に説明したが、以下、図２を参照しながら、端末機器の角度から本願の実施例によるリソース割り当てのための方法について説明する。
【００４５】
図２は、本願の実施例によるリソース割り当てのための方法２００を示す概略フローチャートであり、該方法２００は、端末機器により実行されてもよい。図２に示すように、該方法２００は、端末機器がネットワーク機器から送信されたＳＩＢを受信するＳ２１０と、該端末機器が該ＳＩＢに基づき、該端末機器が他の端末機器から送信されたデータを受信するために用いられ、該ネットワーク機器により割り当てられた複数の受信リソースプールのうちの少なくとも１つの受信リソースプールを確定するＳ２２０と、を含む。
【００４６】
１つの実施例において、該少なくとも１つの受信リソースプールは、該端末機器が該ネットワーク機器から送信された同期参照信号に基づいて確定した第１の同期参照元に対応する第１の受信リソースプールを含む。
【００４７】
１つの実施例において、該少なくとも１つの受信リソースプールは、該端末機器がＧＮＳＳから送信されたＧＮＳＳ信号に基づいて確定したグローバルナビゲーション衛星システムＧＮＳＳ同期参照元を含む。
【００４８】
１つの実施例において、該少なくとも１つの受信リソースプールは、該端末機器が該ネットワーク機器の少なくとも１つの隣接するネットワーク機器から送信された同期参照信号に基づいて確定した少なくとも１つの第２の同期参照元を含む。
【００４９】
１つの実施例において、該方法２００はさらに、該端末機器が、該複数の受信リソースプールのうちの他の受信リソースプールを指示するために用いられ、該ネットワーク機器から送信された専用ＲＲＣシグナリングを受信し、該他の受信リソースプール対応する同期参照元が該少なくとも１つの受信リソースプールに対応する同期参照元と異なるステップを含。
【００５０】
１つの実施例において、該他の受信リソースプールは、該端末機器が該ネットワーク機器の少なくとも１つの隣接するネットワーク機器から送信された同期参照信号に基づいて確定した少なくとも１つの第２の同期参照元を含む。
【００５１】
１つの実施例において、該端末機器がアイドル状態にあり、該端末機器が該ネットワーク機器から送信された専用ＲＲＣシグナリングを受信する前に、該方法２００はさらに、該少なくとも１つの受信リソースプールが目標受信リソースプールを含まないと該端末機器が確定されたとき、該アイドル状態から接続状態に切り替えるステップを含む。
【００５２】
１つの実施例において、該目標受信リソースプールは検出可能な同期参照信号に基づいて該端末機器が確定した目標同期参照元に対応する。
【００５３】
アイドル状態にある端末機器について、該端末機器がネットワーク機器から送信されたＳＩＢを受信し、該ＳＩＢによって指示される、少なくとも１つの同期参照元に対応する少なくとも１つの受信リソースプールを確定し、同時に、該端末機器は複数の参照信号を受信し、該複数の参照信号に基づいて複数の同期参照元を確定してもよいことを理解されたい。端末機器が受信可能な複数の参照信号に対応する複数の同期参照元には目標同期参照元が存在し、該目標同期参照元がＳＩＢに基づいて確定した少なくとも１つの受信リソースプールに対応する少なくとも１つの同期参照元に属しないと、アイドル状態にある該端末機器は状態を切り替え、アイドル状態から接続状態に切り替え、ネットワーク機器から送信された専用ＲＲＣシグナリングを受信し、該ＲＲＣシグナリングによって指示される受信リソースプールを確定する。
【００５４】
理解されるように、該方法２００におけるネットワーク機器が方法１００におけるネットワーク機器に対応してもよく、該方法２００における端末機器が方法１００における端末機器に対応してもよく、ここでは説明を省略する。
【００５５】
したがって、本願の実施例に係るリソース割り当てのための方法によれば、端末機器がネットワーク機器から送信されたＳＩＢを受信し、且つ該ＳＩＢに基づいて少なくとも１つの受信リソースプールを確定し、アイドル状態にある端末機器に対して該受信リソースプールを割り当てることができる。また、専用ＲＲＣシグナリングに基づいて受信リソースプールを確定でき、例えばアイドル状態にある端末機器が受信した同期参照信号に基づいて確定した同期参照元が、ＳＩＢによって指示される少なくとも１つの受信リソースプールに対応する同期参照元に属しないとき、該端末機器はアイドル状態から接続状態に切り替えてもよく、専用ＲＲＣシグナリングを受信して該専用ＲＲＣシグナリングによって指示される受信リソースプールを確定し、アイドル状態にある端末機器を専用ＲＲＣシグナリングのみによって指示できないことを回避し、ＳＩＢのサイズ制限を回避することもでき、これにより該受信リソースプールの柔軟な配置を実現する。
【００５６】
以上、図１乃至図２を参照しながら、本願の実施例によるリソース割り当てのための方法について詳細に説明したが、以下、図３乃至図６を参照しながら、本願の実施例によるネットワーク機器及び端末機器について説明する。
【００５７】
図３に示すように、本願の実施例によるネットワーク機器３００は、割り当てユニット３１０と、確定ユニット３２０と、送信ユニット３３０と、を含む。
【００５８】
具体的には、割り当てユニット３１０は、端末機器に対して、該端末機器が他の端末機器から送信されたデータを受信するために用いられ、異なる同期参照元に対応する複数の受信リソースプールを割り当てるために用いられ、該確定ユニット３２０は、該複数の受信リソースプールのうち、少なくとも１つの受信リソースプールを確定するために用いられ、該送信ユニット３３０は、該端末機器に対して、該少なくとも１つの受信リソースプールを指示するためのＳＩＢを送信するために用いられる。
【００５９】
１つの実施例において、該複数の受信リソースプールには同じ同期参照元に対応する受信リソースプールが存在せず、該送信ユニット３３０は具体的には、該端末機器に対して、該複数の受信リソースプールのうちの該少なくとも１つの受信リソースプール以外の他の受信リソースプールを指示するための専用ＲＲＣシグナリングを送信するために用いられる。
【００６０】
１つの実施例において、該異なる同期参照元は、該ネットワーク機器から送信された同期参照信号に対応する第１の同期参照元を含む。
【００６１】
１つの実施例において、該確定ユニット３２０は具体的には、該少なくとも１つの受信リソースプールに該第１の同期参照元に対応する第１の受信リソースプールを含むことを確定するために用いられる。
【００６２】
１つの実施例において、該異なる同期参照元は、ＧＮＳＳから送信されたＧＮＳＳ信号に対応するグローバルナビゲーション衛星システムＧＮＳＳ同期参照元を含む。
【００６３】
１つの実施例において、該確定ユニット３２０は具体的には、該少なくとも１つの受信リソースプールに該ＧＮＳＳ同期参照元に対応するＧＮＳＳ受信リソースプールを含むことを確定するために用いられる。
【００６４】
１つの実施例において、該異なる同期参照元は、該ネットワーク機器の少なくとも１つの隣接するネットワーク機器から送信された同期参照信号に対応する少なくとも１つの第２の同期参照元を含む。
【００６５】
１つの実施例において、該送信ユニット３３０は具体的には、該端末機器に対して、該少なくとも１つの第２の同期参照元に対応する少なくとも１つの第２の受信リソースプールを指示するための専用ＲＲＣシグナリングを送信するために用いられる。
【００６６】
１つの実施例において、該確定ユニット３２０は具体的には、該複数の受信リソースプールの数に応じて、該少なくとも１つの受信リソースプールを確定するために用いられる。
【００６７】
１つの実施例において、該確定ユニット３２０は具体的には、該複数の受信リソースプールの数が所定値以下である場合、該少なくとも１つの受信リソースプールが全ての該複数の受信リソースプールであると確定し、或いは、該複数の受信リソースプールの数が該所定値以上である場合、該少なくとも１つの受信リソースプールが該複数の受信リソースプールのうちの一部の受信リソースプールであると確定するために用いられる。
【００６８】
理解されるように、本願の実施例によるネットワーク機器３００は対応して本願の実施例における方法１００を実行でき、且つネットワーク機器３００における各ユニットの前述及び他の操作及び／又は機能はそれぞれ図１乃至図２における各方法のネットワーク機器の対応するフローを実現するために用いられ、簡潔にするために、ここでは説明を省略する。
【００６９】
したがって、本願の実施例に係るネットワーク機器は、端末機器に対して複数の受信リソースプールを配置し、且つ該複数の受信リソースプールに対応する同期参照元に基づき、ＳＩＢによって指示される受信リソースプールを確定し、専用ＲＲＣシグナリングのみによってアイドル状態にある端末機器を指示できないことを回避し、また、端末機器に対して割り当てた複数の受信リソースプールをＳＩＢ及び専用ＲＲＣシグナリングによって共通に指示でき、ＳＩＢのサイズ制限を回避し、これにより該受信リソースプールの柔軟な配置を実現する。
【００７０】
図４に示すように、本願の実施例による端末機器４００は、受信ユニット４１０と、確定ユニット４２０と、を含む。
【００７１】
具体的には、該受信ユニット４１０は、ネットワーク機器から送信されたＳＩＢを受信するために用いられ、該確定ユニット４２０は、該ＳＩＢに基づき、該端末機器が他の端末機器から送信されたデータを受信するために用いられ、該ネットワーク機器により割り当てられた複数の受信リソースプールのうちの少なくとも１つの受信リソースプールを確定するために用いられる。
【００７２】
１つの実施例において、該少なくとも１つの受信リソースプールは、該端末機器が該ネットワーク機器から送信された同期参照信号に基づいて確定した第１の同期参照元に対応する第１の受信リソースプールを含む。
【００７３】
１つの実施例において、該少なくとも１つの受信リソースプールは、該端末機器がＧＮＳＳから送信されたＧＮＳＳ信号に基づいて確定したグローバルナビゲーション衛星システムＧＮＳＳ同期参照元を含む。
【００７４】
１つの実施例において、該少なくとも１つの受信リソースプールは、該端末機器が該ネットワーク機器の少なくとも１つの隣接するネットワーク機器から送信された同期参照信号に基づいて確定した少なくとも１つの第２の同期参照元を含む。
【００７５】
１つの実施例において、該受信ユニット４１０はさらに、該複数の受信リソースプールのうちの他の受信リソースプールを指示するために用いられ、該ネットワーク機器から送信された専用ＲＲＣシグナリングを受信するために用いられ、該他の受信リソースプールに対応する同期参照元が該少なくとも１つの受信リソースプールに対応する同期参照元と異なる。
【００７６】
１つの実施例において、該他の受信リソースプールは、該端末機器が該ネットワーク機器の少なくとも１つの隣接するネットワーク機器から送信された同期参照信号に基づいて確定した少なくとも１つの第２の同期参照元を含む。
【００７７】
１つの実施例において、該端末機器がアイドル状態になり、該確定ユニット４２０はさらに、該受信ユニット４１０が該ネットワーク機器から送信された専用ＲＲＣシグナリングを受信する前に、該少なくとも１つの受信リソースプールが目標受信リソースプールを含まないと確定されたとき、該アイドル状態から接続状態に切り替えるために用いられる。
【００７８】
１つの実施例において、該目標受信リソースプールは検出可能な同期参照信号に基づいて該端末機器が確定した目標同期参照元に対応する。
【００７９】
理解されるように、本願の実施例による端末機器４００は対応して本願の実施例における方法２００を実行でき、且つ端末機器４００における各ユニットの前述及び他の操作及び／又は機能はそれぞれ図１乃至図２における各方法の端末機器の対応するフローを実現するために用いられ、簡潔にするために、ここでは説明を省略する。
【００８０】
したがって、本願の実施例に係る端末機器は、ネットワーク機器から送信されたＳＩＢを受信し、且つ該ＳＩＢに基づいて少なくとも１つの受信リソースプールを確定し、アイドル状態にある端末機器に対して該受信リソースプールを割り当てることができる。また、専用ＲＲＣシグナリングに基づいて受信リソースプールを確定でき、例えばアイドル状態にある端末機器が受信した同期参照信号に基づいて確定した同期参照元が、ＳＩＢによって指示される少なくとも１つの受信リソースプールに対応する同期参照元に属しないとき、該端末機器はアイドル状態から接続状態に切り替えてもよく、専用ＲＲＣシグナリングを受信して該専用ＲＲＣシグナリングによって指示される受信リソースプールを確定し、アイドル状態にある端末機器を専用ＲＲＣシグナリングのみによって指示できないことを回避し、ＳＩＢのサイズ制限を回避することもでき、これにより該受信リソースプールの柔軟な配置を実現する。
【００８１】
図５は、本願の実施例によるネットワーク機器５００を示す概略ブロック図であり、図５に示すように、該ネットワーク機器５００は、プロセッサ５１０と、送受信機５２０と、を含み、プロセッサ５１０が送受信機５２０に接続され、１つの実施例において、該ネットワーク機器５００はさらにメモリ５３０を含み、メモリ５３０がプロセッサ５１０に接続される。ただし、プロセッサ５１０、メモリ５３０及び送受信機５２０の間は内部接続通路を介して相互に通信し、データ信号を伝達及び／又は制御し、該メモリ５３０は、コマンドを記憶するために用いられてもよく、該プロセッサ５１０は、送受信機５２０が情報又は信号を送信するように制御するように、該メモリ５３０に記憶されたコマンドを実行するために用いられ、該プロセッサ５１０は、端末機器に対して、該端末機器が他の端末機器から送信されたデータを受信するために用いられ、異なる同期参照元に対応する複数の受信リソースプールを割り当てるために用いられ、該送受信機５２０は、該端末機器に対して、該少なくとも１つの受信リソースプールを指示するためのＳＩＢを送信するために用いられる。
【００８２】
理解されるように、本願の実施例によるネットワーク機器５００は本願の実施例におけるネットワーク機器３００に対応でき、且つ本願の実施例による方法１００を実行する相応の主体に対応でき、且つネットワーク機器５００における各ユニットの前述及び他の操作及び／又は機能はそれぞれ図１乃至図２における各方法のネットワーク機器の対応するフローを実現するために用いられ、簡潔にするために、ここでは説明を省略する。
【００８３】
したがって、本願の実施例に係るネットワーク機器は、端末機器に対して複数の受信リソースプールを配置し、且つ該複数の受信リソースプールに対応する同期参照元に基づき、ＳＩＢによって指示される受信リソースプールを確定し、専用ＲＲＣシグナリングのみによってアイドル状態にある端末機器を指示できないことを回避し、また、端末機器に対して割り当てた複数の受信リソースプールをＳＩＢ及び専用ＲＲＣシグナリングによって共通に指示でき、ＳＩＢのサイズ制限を回避し、これにより該受信リソースプールの柔軟な配置を実現する。
【００８４】
図６は、本願の実施例による端末機器６００を示す概略ブロック図であり、図６に示すように、該端末機器６００は、プロセッサ６１０と、送受信機６２０と、を含み、プロセッサ６１０が送受信機６２０に接続され、１つの実施例において、該端末機器６００はさらにメモリ６３０を含み、メモリ６３０がプロセッサ６１０に接続される。ただし、プロセッサ６１０、メモリ６３０及び送受信機６２０の間は内部接続通路を介して相互に通信し、データ信号を伝達及び／又は制御し、該メモリ６３０は、コマンドを記憶するために用いられてもよく、該プロセッサ６１０は、送受信機６２０が情報又は信号を送信するように制御するように、該メモリ６３０に記憶されたコマンドを実行するために用いられ、該送受信機６２０は、ネットワーク機器から送信されたＳＩＢを受信するために用いられ、該プロセッサ６１０は、該ＳＩＢに基づき、該端末機器が他の端末機器から送信されたデータを受信するために用いられ、該ネットワーク機器により割り当てられた複数の受信リソースプールのうちの少なくとも１つの受信リソースプールを確定するために用いられる。
【００８５】
理解されるように、本願の実施例による端末機器６００は本願の実施例における端末機器４００に対応でき、且つ本願の実施例による方法２００を実行する相応の主体に対応でき、且つ端末機器６００における各ユニットの前述及び他の操作及び／又は機能はそれぞれ図１乃至図２における各方法の端末機器の対応するフローを実現するために用いられ、簡潔にするために、ここでは説明を省略する。
【００８６】
したがって、本願の実施例に係る端末機器は、ネットワーク機器から送信されたＳＩＢを受信し、且つ該ＳＩＢに基づいて少なくとも１つの受信リソースプールを確定し、アイドル状態にある端末機器に対して該受信リソースプールを割り当てることができる。また、専用ＲＲＣシグナリングに基づいて受信リソースプールを確定でき、例えばアイドル状態にある端末機器が受信した同期参照信号に基づいて確定した同期参照元が、ＳＩＢによって指示される少なくとも１つの受信リソースプールに対応する同期参照元に属しないとき、該端末機器はアイドル状態から接続状態に切り替えてもよく、専用ＲＲＣシグナリングを受信して該専用ＲＲＣシグナリングによって指示される受信リソースプールを確定し、アイドル状態にある端末機器を専用ＲＲＣシグナリングのみによって指示できないことを回避し、ＳＩＢのサイズ制限を回避することもでき、これにより該受信リソースプールの柔軟な配置を実現する。
【００８７】
図７は、本願の実施例によるパラメータ配置のための方法７００を示す概略フローチャートであり、該方法７００は、ネットワーク機器により実行されてもよい。図７に示すように、該方法７００は、少なくとも１つの端末機器がサイドリンク通信における少なくとも１つのパラメータを確定するための第１のＳＩＢ及び第２のＳＩＢをネットワーク機器が確定するＳ７１０と、該ネットワーク機器が該少なくとも１つの端末機器に対して該第１のＳＩＢ及び該第２のＳＩＢを送信するＳ７２０と、を含む。
【００８８】
理解されるように、該少なくとも１つのパラメータは、該少なくとも１つの端末機器のうちのいずれかの端末機器と他の端末機器との間のサイドリンク通信に用いられてもよく、１つの実施例において、該少なくとも１つのパラメータは、サイドリンク動作周波数、受信リソースプールパラメータ、送信リソースプールパラメータ、同期参照信号、同期リソースパラメータ、リソース選択パラメータ、レイヤ１配置パラメータのうちの少なくとも１つを含む。
【００８９】
１つの実施例において、該受信リソースプールパラメータは、ネットワーク機器が端末機器に対して割り当てた受信リソースを指示するために用いられてもよく、該受信リソースは、時間領域リソース及び／又は周波数領域リソースを含み、例えば該時間領域リソースの大きさ及び位置を含む。同様に、該送信リソースプールパラメータは、ネットワーク機器が端末機器に対して割り当てた送信リソースを指示するために用いられてもよく、該送信リソースは、時間領域リソース及び／又は周波数領域リソースを含み、例えば該時間領域リソースの大きさ及び位置を含み、該受信リソース及び送信リソースは該端末機器と他の端末機器との間のサイドリンク通信に用いられる。
【００９０】
１つの実施例において、リソース選択パラメータは、ネットワーク機器が端末機器に対して割り当てた複数のリソース又は複数のリソースプールでもよく、これにより端末機器は該複数のリソース又は複数のリソースプールから他の端末機器との間のサイドリンク通信に用いられるリソースを選択する。
【００９１】
１つの実施例において、該レイヤ１配置パラメータは、ネットワーク機器が端末機器に対して割り当てた送信パワー、リソース数、ハイブリッド自動再送要求（Ｈｙｂｒｉｄ  Ａｕｔｏｍａｔｉｃ  Ｒｅｐｅａｔ  ｒｅＱｕｅｓｔ、ＨＡＲＱ）の再送回数及び変調復調方式のうちの少なくとも１つを含んでもよい。
【００９２】
理解されるように、本願の実施例における少なくとも１つの端末機器は１つ又は複数の端末機器を含んでもよく、該少なくとも１つの端末機器は第１の端末機器及び／又は第２の端末機器を含んでもよく、具体的には、該第１の端末機器は第１のフォーマットでの該サイドリンク通信のみをサポートし、該第２の端末機器は第２のフォーマットでの該サイドリンク通信をサポートし、ただし、該第２の端末機器は該第２のフォーマットでの該サイドリンク通信のみをサポートしてもよく、或いは、該第２の端末機器は第１のフォーマット及び第２のフォーマットの両方での該サイドリンク通信をサポートしてもよく、該第１のフォーマットは該第２のフォーマットと異なる。
【００９３】
具体的には、該第１のフォーマット及び該第２のフォーマットは端末機器が動作する異なるバージョン又は異なるモードでもよい。例えば、該第１の端末機器が第１のフォーマットのみをサポートすることは、該第１の端末機器がバージョン１４（ｒｅｌｅａｓｅ  １４、Ｒ１４）をサポートすることを示してもよく、該第１の端末機器がＲ１４モードで動作してもよく、同様に、該第２の端末機器が第２のフォーマットをサポートすることは、該第２の端末機器がＲ１５をサポートすることを示す。また、該第１の端末機器の動作バージョンが第２の端末機器の動作バージョンより低いとき、それ相応に、高バージョンで動作する第２の端末機器について、該第２の端末機器はＲ１４を兼ねず、Ｒ１５のみをサポートしてもよく、或いは、該第２の端末機器はＲ１４及びＲ１５を同時にサポートしてもよく、つまり該第２の端末機器は高動作バージョン及び低動作バージョンの両方を兼ねる。
【００９４】
以下、幾つかの具体的な実施例を参照して、該少なくとも１つの端末機器が上記第１の端末機器及び第２の端末機器を含むとき、第１のＳＩＢ及び第２のＳＩＢとの間の関係について詳細に説明する。
【００９５】
１つの実施例において、ネットワーク機器は第１の端末機器及び第２の端末機器に対して第１のＳＩＢ及び第２のＳＩＢを送信し、端末機器は該第１のＳＩＢ及び第２のＳＩＢを受信し、第１の端末機器は該第１のＳＩＢに基づいて少なくとも１つのパラメータのうちの第１のパラメータを確定し、該第２の端末機器は該第２のＳＩＢに基づいて該第１のパラメータを確定し、ただし、該第１のパラメータはサイドリンク通信の少なくとも１つのパラメータのうちのいずれかのパラメータであってもよい。
【００９６】
具体的には、該第１の端末機器が第１のフォーマットのみをサポートする場合、該第１のＳＩＢは第１の端末機器の第１のフォーマットに対応する第１のパラメータを含む。該第２の端末機器が第２のフォーマットのみをサポートする場合、該第２のＳＩＢは第２の端末機器の第２のフォーマットに対応する第１のパラメータを含む。該第２の端末機器が第１のフォーマット及び第２のフォーマットをサポートする場合、該第２のＳＩＢは第２の端末機器の第１のフォーマットに対応する第１のパラメータ及び第２のフォーマットに対応する第１のパラメータを含む。ただし、第１のＳＩＢに含まれる第１の端末機器の第１のフォーマットに対応する第１のパラメータ、第２のＳＩＢに含まれる第２の端末機器の第１のフォーマットに対応する第１のパラメータ及び第２のフォーマットに対応する第１のパラメータについて、三者が同じであっても異なっていてもよく、本願の実施例はこれに限定されない。
【００９７】
それ相応に、第１の端末機器が第１のＳＩＢを受信し、第１のＳＩＢに基づいて第１のパラメータを確定し、且つ該第１のパラメータのみに基づいて識別子マッピングを行い、これにより第１の端末機器が該第１のパラメータがマッピングする識別子に基づき、ネットワーク機器と通信し、或いは他の端末機器とサイドリンク通信を行う。例えば、第１の端末機器及びネットワーク機器は同じマッピングルールに基づき、該第１のパラメータを第１の識別子にマッピングし、且つ該第１の端末機器とネットワーク機器との間が該第１の識別子を用いて通信する。
【００９８】
同様に、第２の端末機器が第２のＳＩＢを受信し、該第２のＳＩＢに基づいて第１のフォーマット及び／又は第２のフォーマットに対応する第１のパラメータを確定し、且つ該第１のパラメータに基づいて識別子マッピングを行い、該第２の端末機器が該第２のパラメータマッピングの識別子に基づき、ネットワーク機器と通信し、或いは他の端末機器とサイドリンク通信を行う。例えば、第２の端末機器及びネットワーク機器は同じマッピングルールに基づき、該第２のパラメータを第２の識別子にマッピングし、且つ該第２の端末機器とネットワーク機器との間が該第２の識別子を用いて通信する。
【００９９】
例えば、ここでは該第１のパラメータが端末機器のサイドリンク動作周波数でもよいことを例に、且つ、第１の端末機器が第１のフォーマットのみをサポートし、第２の端末機器が第１のフォーマット及び第２のフォーマットをサポートすると仮定すると、ネットワーク機器が確定した第１のＳＩＢは第１の端末機器の該第１のフォーマットに対応するサイドリンク動作周波数を含み、該第２のＳＩＢは第２の端末機器の第１のフォーマットに対応するサイドリンク動作周波数及び該第２のフォーマットに対応するサイドリンク動作周波数を含み、ネットワーク機器は、第１の端末機器が第１のＳＩＢに基づいてその第１のフォーマットに対応するサイドリンク動作周波数を確定し、該サイドリンク動作周波数に基づいて識別子マッピングを行い、該第２の端末機器が該第２のＳＩＢに基づいてその第１のフォーマットに対応するサイドリンク動作周波数及び第２のフォーマットに対応するサイドリンク動作周波数を確定し、該第１のフォーマット及び第２のフォーマットに対応するサイドリンク動作周波数に基づいて識別子マッピングを行うように、２つの端末機器に対して該第１のＳＩＢ及び第２のＳＩＢを送信する。
【０１００】
１つの実施例において、ネットワーク機器は第１の端末機器及び第２の端末機器に対して第１のＳＩＢ及び第２のＳＩＢを送信し、それ相応に、端末機器は該第１のＳＩＢ及び第２のＳＩＢを受信し、第１の端末機器は第１のＳＩＢに基づいて少なくとも１つのパラメータのうちの第２のパラメータを確定してもよく、第２の端末機器は該第１のＳＩＢ及び第２のＳＩＢに基づいて該第２のパラメータを確定してもよく、ただし、第２の端末機器が受信した該第１のＳＩＢに含まれる第２のパラメータのインデックスが第２のＳＩＢに含まれる第２のパラメータのインデックスと異なり、該第２のパラメータが該少なくとも１つのパラメータのうちのいずれかのパラメータであり、該第２のパラメータが第１のパラメータと異なる。
【０１０１】
具体的には、該第１の端末機器が第１のフォーマットのみをサポートする場合、該第１のＳＩＢは第１の端末機器の第１のフォーマットに対応する第２のパラメータを含む。該第２の端末機器が第２のフォーマットのみをサポートする場合、該第１のＳＩＢは第２の端末機器の第２のフォーマットに対応する第２のパラメータを含み、同時に、該第２のＳＩＢは第２の端末機器の第２のフォーマットに対応する第２のパラメータを含む。該第２の端末機器が第１のフォーマット及び第２のフォーマットをサポートする場合、該第１のＳＩＢは第２の端末機器の第１のフォーマットに対応する第２のパラメータ及び／又は第２のフォーマットに対応する第２のパラメータを含み、該第２のＳＩＢは第２の端末機器の第２のフォーマットに対応する第２のパラメータを含み、或いは第２の端末機器の第１のフォーマットに対応する第２のパラメータを含んでもよい。ただし、上記の第１のＳＩＢに含まれる第１の端末機器の第１のフォーマットに対応する第２のパラメータ、第１のＳＩＢに含まれる第２の端末機器の第１のフォーマットに対応する第２のパラメータ及び／又は第２のフォーマットに対応する第２のパラメータ、第２のＳＩＢに含まれる第２の端末機器の第１のフォーマットに対応する第２のパラメータ及び第２のフォーマットに対応する第２のパラメータについて、それらが同じであっても異なっていてもよく、本願の実施例はこれに限定されない。
【０１０２】
それ相応に、第１の端末機器が第１のＳＩＢを受信し、第１のＳＩＢに基づいて第２のパラメータを確定し、且つ該第２のパラメータのみに基づいて識別子マッピングを行い、これにより第１の端末機器が該第２のパラメータがマッピングする識別子に基づき、ネットワーク機器と通信し、或いは他の端末機器とサイドリンク通信を行う。例えば、第１の端末機器及びネットワーク機器は同じマッピングルールに基づき、該第２のパラメータを第１の識別子にマッピングし、且つ該第１の端末機器とネットワーク機器との間が該第１の識別子を用いて通信する。
【０１０３】
第２の端末機器が第１のＳＩＢ及び第２のＳＩＢを受信し、該第１のＳＩＢ及び第２のＳＩＢに基づいて第１のフォーマット及び／又は第２のフォーマットに対応する第２のパラメータを確定し、且つ第１のＳＩＢ及び第２のＳＩＢにより確定された該第２のパラメータに基づいて識別子マッピングを行う。ただし、第２の端末機器は第１のＳＩＢ及び第２のＳＩＢにより確定された第２のパラメータを同じ識別子又は異なる識別子にマッピングしてもよい。例えば、第１のＳＩＢ及び第２のＳＩＢにより確定された第２のパラメータが同じキャリアに対するものであれば、第１のＳＩＢにより確定された第２のパラメータ及び第２のＳＩＢにより確定された第２のパラメータを同じ識別子にマッピングしてもよい。第１のＳＩＢ及び第２のＳＩＢにより確定された第２のパラメータが異なるキャリアに対するものであれば、第１のＳＩＢにより確定された第２のパラメータ及び第２のＳＩＢにより確定された第２のパラメータを異なる識別子にマッピングしてもよく、本願の実施例はこれに限定されない。例えば、第２の端末機器は該第１のＳＩＢにより確定された第２のパラメータ及び第２のＳＩＢにより確定された第２のパラメータが異なるキャリアに対するものであるため、第１のＳＩＢにより確定された第２のパラメータを第１の識別子にマッピングし、第２のＳＩＢにより確定された第２のパラメータを第２の識別子にマッピングし、これにより第２の端末機器は該第１の識別子及び／又は第２の識別子を用いて、ネットワーク機器と通信し、或いは他の端末機器とサイドリンク通信を行う。例えば、第２の端末機器及びネットワーク機器が同じマッピングルールに基づいてマッピングし、第１のＳＩＢにより確定された第２のパラメータを第１の識別子にマッピングし、第２のＳＩＢにより確定された第２のパラメータを第２の識別子にマッピングし、これにより第２の端末機器は該第１の識別子及び／又は第２の識別子を用いて、ネットワーク機器と通信する。
【０１０４】
例えば、ここでは該第２のパラメータが端末機器の受信リソースプールパラメータでもよいことを例に、且つ、第１の端末機器が第１のフォーマットをサポートし、第２の端末機器が第１のフォーマット及び第２のフォーマットをサポートすると仮定すると、ネットワーク機器が確定した第１のＳＩＢは該第１の端末機器の第１のフォーマットに対応する受信リソースプールパラメータを含み、同時に、該第１のＳＩＢはさらに第２の端末機器の第１のフォーマット及び／又は第２のフォーマットに対応する受信リソースプールパラメータを含み、ネットワーク機器が確定した該第２のＳＩＢは第２の端末機器の第２のフォーマットに対応する受信リソースプールパラメータを含み、或いは該第２のＳＩＢは第２の端末機器の該第１のフォーマット及び該第２のフォーマットに対応する受信リソースプールパラメータを含み、ネットワーク機器は、第１の端末機器が第１のＳＩＢに基づいてその第１のフォーマットに対応する受信リソースプールパラメータを確定し、該受信リソースプールパラメータに基づいて識別子マッピングを行い、該第２の端末機器が第１のＳＩＢ及び該第２のＳＩＢに基づいてその第１のフォーマットに対応する受信リソースプールパラメータ及び第２のフォーマットに対応する受信リソースプールパラメータを確定し、該第１のＳＩＢ及び該第２のＳＩＢに基づいて確定した受信リソースプールパラメータに基づいてそれぞれ識別子マッピングを行うように、２つの端末機器に該第１のＳＩＢ及び第２のＳＩＢを送信し、第１のＳＩＢに基づいて確定した受信リソースプールパラメータとマッピングする識別子と第２のＳＩＢに基づいて確定した受信リソースプールパラメータとマッピングする識別子は同じであっても異なっていてもよい。
【０１０５】
１つの実施例において、ネットワーク機器はまた第１の端末機器及び第２の端末機器に対して第１のＳＩＢを送信してもよく、端末機器は該第１のＳＩＢを受信し、第１の端末機器は該第１のＳＩＢに基づいて少なくとも１つのパラメータのうちの第３のパラメータを確定し、該第２の端末機器は該第１のＳＩＢに基づいて該第３のパラメータを確定し、ただし、該第３のパラメータがサイドリンク通信の少なくとも１つのパラメータのうちのいずれかのパラメータでもよく、該第３のパラメータが第１のパラメータ、第２のパラメータと異なる。
【０１０６】
具体的には、該第１の端末機器が第１のフォーマットのみをサポートする場合、該第１のＳＩＢは第１の端末機器の第１のフォーマットに対応する第３のパラメータを含む。該第２の端末機器が第２のフォーマットのみをサポートする場合、該第１のＳＩＢはまた第２の端末機器の第２のフォーマットに対応する第３のパラメータを含む。該第２の端末機器が第１のフォーマット及び第２のフォーマットをサポートする場合、該第１のＳＩＢは第２の端末機器の第１のフォーマットに対応する第３のパラメータ及び第２のフォーマットに対応する第３のパラメータを含む。ただし、第１のＳＩＢに含まれる第１の端末機器の第１のフォーマットに対応する第３のパラメータ、第１のＳＩＢに含まれる第２の端末機器の第１のフォーマットに対応する第３のパラメータ及び第２のフォーマットに対応する第３のパラメータについて、三者が同じであっても異なっていてもよく、本願の実施例はこれに限定されない。
【０１０７】
それ相応に、第１の端末機器が第１のＳＩＢを受信し、第１のＳＩＢに基づいて第３のパラメータを確定し、且つ該第３のパラメータのみに基づいて識別子マッピングを行い、これにより第１の端末機器が該第３のパラメータマッピングの識別子に基づき、ネットワーク機器と通信し、或いは他の端末機器とサイドリンク通信を行う。例えば、第１の端末機器及びネットワーク機器は同じマッピングルールに基づき、該第３のパラメータを第１の識別子にマッピングし、且つ該第１の端末機器とネットワーク機器との間が該第１の識別子を用いて通信する。
【０１０８】
同様に、第２の端末機器も第１のＳＩＢを受信し、該第１のＳＩＢに基づき、第１のフォーマット及び／又は第２のフォーマットに対応する第３のパラメータを確定し、且つ該第１のＳＩＢにより確定された該第３のパラメータに基づいて識別子マッピングを行い、これにより第２の端末機器が該第３のパラメータマッピングの識別子に基づき、ネットワーク機器と通信し、或いは他の端末機器とサイドリンク通信を行う。例えば、第２の端末機器及びネットワーク機器は同じマッピングルールに基づき、該第３のパラメータを第２の識別子にマッピングし、且つ該第２の端末機器とネットワーク機器との間が該第２の識別子を用いて通信する。
【０１０９】
例えば、ここでは該第１のパラメータが端末機器の送信リソースプールパラメータでもよいことを例に、且つ、第１の端末機器が第１のフォーマットのみをサポートし、第２の端末機器が第１のフォーマット及び第２のフォーマットをサポートすると仮定すると、ネットワーク機器が確定した第１のＳＩＢは第１の端末機器の該第１のフォーマットに対応する送信リソースプールパラメータを含み、さらに第２の端末機器の第１のフォーマットに対応する送信リソースプールパラメータ及び第２のフォーマットに対応する送信リソースプールパラメータを含み、ネットワーク機器は、第１の端末機器が第１のＳＩＢに基づいてその第１のフォーマットに対応する送信リソースプールパラメータを確定し、該リソースプールパラメータに基づいて識別子マッピングを行い、該第２の端末機器が該第１のＳＩＢに基づいてその第１のフォーマットに対応する送信リソースプールパラメータ及び第２のフォーマットに対応する送信リソースプールパラメータを確定し、該第１のＳＩＢに基づいて確定したリソースプールパラメータに基づいてそれぞれ識別子マッピングを行うように、２つの端末機器に対して該第１のＳＩＢを送信する。
【０１１０】
したがって、本願の実施例に係るパラメータ配置のための方法によれば、ネットワーク機器が少なくとも１つの端末機器に対して第１のＳＩＢ及び第２のＳＩＢを送信し、該少なくとも１つの端末機器に異なるフォーマットでのサイドリンク通信をサポートする端末機器を含んでもよいため、異なる端末機器が受信した該第１のＳＩＢ及び／又は第２のＳＩＢに基づき、少なくとも１つのパラメータを確定し、且つ該少なくとも１つのパラメータに基づいてサイドリンク通信を行うことができ、それにより、ネットワーク機器がＳＩＢによって少なくとも１つのパラメータの異なるフォーマットでの異なる値をブロードキャストすることを実現し、且つ異なるフォーマットをサポートする端末機器に対応するパラメータを取得させ、これによりパラメータの柔軟な配置を実現する。
【０１１１】
以上、図７を参照しながら、ネットワーク機器の角度から本願の実施例によるパラメータ配置のための方法について詳細に説明したが、以下、図８を参照しながら、端末機器の角度から本願の実施例によるパラメータ配置のための方法について説明する。
【０１１２】
図８は、本願の実施例によるパラメータ配置のための方法８００を示す概略フローチャートであり、該方法８００は、端末機器により実行されてもよい。図８に示すように、該方法８００は、端末機器がネットワーク機器から送信された第１のシステム情報ブロックＳＩＢ及び／又は第２のＳＩＢを受信するＳ８１０と、受信した該第１のＳＩＢ及び／又は該第２のＳＩＢに基づき、該端末機器がサイドリンク通信における少なくとも１つのパラメータのうちの目標パラメータを確定するＳ８２０と、を含む。
【０１１３】
１つの実施例において、該少なくとも１つのパラメータは、サイドリンク動作周波数、受信リソースプールパラメータ、送信リソースプールパラメータ、同期参照信号、同期リソースパラメータ、リソース選択パラメータ、レイヤ１配置パラメータのうちの少なくとも１つを含む。
【０１１４】
１つの実施例において、該端末機器は第１のフォーマットでの該サイドリンク通信のみをサポートする。
【０１１５】
１つの実施例において、該端末機器は該第１のフォーマット及び第２のフォーマットでの該サイドリンク通信をサポートする。
【０１１６】
１つの実施例において、受信した該第１のＳＩＢ及び／又は該第２のＳＩＢに基づき、該端末機器がサイドリンク通信における少なくとも１つのパラメータを確定することは、受信した該第１のＳＩＢに基づき、該端末機器が該少なくとも１つのパラメータのうちの第１のパラメータを確定することを含む。
【０１１７】
１つの実施例において、受信した該第１のＳＩＢに基づき、該端末機器が該少なくとも１つのパラメータのうちの第１のパラメータを確定した後、該方法はさらに、該端末機器が該第１のＳＩＢにより確定された該第１のパラメータのみに基づいて識別子マッピングを行うステップを含む。
【０１１８】
１つの実施例において、受信した該第１のＳＩＢ及び／又は該第２のＳＩＢに基づき、該端末機器がサイドリンク通信における少なくとも１つのパラメータを確定することは、受信した該第２のＳＩＢに基づき、該端末機器が該少なくとも１つのパラメータのうちの第２のパラメータを確定することを含む。
【０１１９】
１つの実施例において、受信した該第２のＳＩＢに基づき、該端末機器が該少なくとも１つのパラメータのうちの第２のパラメータを確定した後、該方法はさらに、該端末機器が該第２のＳＩＢにより確定された該第２のパラメータのみに基づいて識別子マッピングを行うステップを含む。
【０１２０】
１つの実施例において、受信した該第１のＳＩＢ及び／又は該第２のＳＩＢに基づき、該端末機器がサイドリンク通信における少なくとも１つのパラメータを確定することは、受信した該第１のＳＩＢ及び該第２のＳＩＢに基づき、該端末機器が該少なくとも１つのパラメータのうちの第３のパラメータを確定することを含む。
【０１２１】
１つの実施例において、該第１のＳＩＢ及び該第２のＳＩＢにより確定された該第２のパラメータは該第２の端末機器が識別子マッピングを行うために用いられる。
【０１２２】
１つの実施例において、該第１のＳＩＢ及び該第２のＳＩＢにより確定された該第２のパラメータが同じキャリアに対するものであれば、該第１のＳＩＢ及び該第２のＳＩＢにより確定された該第２のパラメータは該第２の端末機器が同じ識別子にマッピングするために用いられる。
【０１２３】
１つの実施例において、該第１のＳＩＢ及び該第２のＳＩＢにより確定された該第２のパラメータは該第２の端末機器が異なる識別子にマッピングするために用いられる。
【０１２４】
１つの実施例において、該第１のＳＩＢ及び該第２のＳＩＢにより確定された該第２のパラメータが異なるキャリアに対するものであれば、該第１のＳＩＢ及び該第２のＳＩＢにより確定された該第２のパラメータは該第２の端末機器が異なる識別子にマッピングするために用いられる。
【０１２５】
１つの実施例において、該端末機器は該第１のフォーマット及び該第２のフォーマットでの該サイドリンク通信をサポートし、受信した該第１のＳＩＢ及び／又は該第２のＳＩＢに基づき、該端末機器がサイドリンク通信における少なくとも１つのパラメータを確定することは、該端末機器が該第１のＳＩＢに基づき、該第１のフォーマット及び／又は該第２のフォーマットに対応する該第３のパラメータを確定することを含む。
【０１２６】
１つの実施例において、該端末機器は該第１のフォーマット及び該第２のフォーマットでの該サイドリンク通信をサポートし、受信した該第１のＳＩＢ及び／又は該第２のＳＩＢに基づき、該端末機器がサイドリンク通信における少なくとも１つのパラメータを確定することは、該端末機器が該第２のＳＩＢに基づき、該第２のフォーマットに対応する該第２のパラメータを確定すること、或いは、該端末機器が該第２のＳＩＢに基づき、該第１のフォーマット及び該第２のフォーマットに対応する該第３のパラメータを確定することを含む。
【０１２７】
理解されるように、該方法８００における端末機器は方法７００における第１の端末機器であってもよく、方法７００における第２の端末機器であってもよく、それ相応に、該方法８００における第１のパラメータ、第２のパラメータ及び第３のパラメータは方法７００における異なるパラメータに対応してもよく、例えば、該方法８００における端末機器は方法７００における第２の端末機器であり、それ相応に、該方法８００における第３のパラメータは方法７００における第２のパラメータに対応してもよく、簡潔にするために、ここでは説明を省略する。
【０１２８】
したがって、本願の実施例に係るパラメータ配置のための方法によれば、ネットワーク機器が少なくとも１つの端末機器に対して第１のＳＩＢ及び第２のＳＩＢを送信し、該少なくとも１つの端末機器のうちのいずれかの端末機器について、該端末機器が第１のＳＩＢ及び／又は第２のＳＩＢを受信し、該端末機器が１つ又は複数のフォーマットでのサイドリンク通信をサポートでき、該端末機器が受信した該第１のＳＩＢ及び／又は第２のＳＩＢに基づき、対応する少なくとも１つのパラメータを確定し、且つ該少なくとも１つのパラメータに基づいてサイドリンク通信を行うことができ、さらにネットワーク機器がＳＩＢによって１つのパラメータの異なるフォーマットでの異なる値をブロードキャストすることを実現し、且つ異なるフォーマットをサポートする端末機器に対応するパラメータを取得させ、これによりパラメータの柔軟な配置を実現する。
【０１２９】
以上、図７及び図８を参照しながら、ネットワーク機器がＳＩＢをブロードキャストする実施例を説明したが、以下、図９及び図１０を参照しながら、ネットワーク機器が端末機器に対して専用シグナリングを送信する実施例を説明する。
【０１３０】
図９は、本願の実施例によるパラメータ配置のための方法９００を示す概略フローチャートであり、該方法９００は、ネットワーク機器により実行されてもよい。図９に示すように、該方法９００は、第１のフォーマット及び第２のフォーマットでのサイドリンク通信をサポートする端末機器の、該端末機器が該第１のフォーマット及び該第２のフォーマットで該サイドリンク通信を行う少なくとも１つのパラメータを含むパラメータ情報をネットワーク機器が確定するＳ９１０と、該ネットワーク機器が、該端末機器に対して、該端末機器が該少なくとも１つのパラメータを確定するための該パラメータ情報を送信するＳ９２０と、を含む。
【０１３１】
理解されるように、該少なくとも１つのパラメータは、該少なくとも１つの端末機器のうちのいずれかの端末機器と他の端末機器との間のサイドリンク通信に用いられてもよく、１つの実施例において、該少なくとも１つのパラメータは、サイドリンク動作周波数、受信リソースプールパラメータ、送信リソースプールパラメータ、同期参照信号、同期リソースパラメータ、リソース選択パラメータ、レイヤ１配置パラメータのうちの少なくとも１つを含む。
【０１３２】
１つの実施例において、該受信リソースプールパラメータは、ネットワーク機器が端末機器に対して割り当てた受信リソースを指示するために用いられてもよく、該受信リソースは、時間領域リソース及び／又は周波数領域リソースを含み、例えば該時間領域リソースの大きさ及び位置を含む。同様に、該送信リソースプールパラメータは、ネットワーク機器が端末機器に対して割り当てた送信リソースを指示するために用いられてもよく、該送信リソースは、時間領域リソース及び／又は周波数領域リソースを含み、例えば該時間領域リソースの大きさ及び位置を含み、該受信リソース及び送信リソースは該端末機器と他の端末機器との間のサイドリンク通信に用いられる。
【０１３３】
１つの実施例において、リソース選択パラメータは、ネットワーク機器が端末機器に対して割り当てた複数のリソース又は複数のリソースプールでもよく、これにより端末機器は該複数のリソース又は複数のリソースプールから他の端末機器との間のサイドリンク通信に用いられるリソースを選択する。
【０１３４】
１つの実施例において、該レイヤ１配置パラメータは、ネットワーク機器が端末機器に対して割り当てた送信パワー、リソース数、ハイブリッド自動再送要求（Ｈｙｂｒｉｄ  Ａｕｔｏｍａｔｉｃ  Ｒｅｐｅａｔ  ｒｅＱｕｅｓｔ、ＨＡＲＱ）の再送回数及び変調復調方式のうちの少なくとも１つを含んでもよい。
【０１３５】
理解されるように、該端末機器は第１のフォーマット及び第２のフォーマットの両方での該サイドリンク通信をサポートしてもよく、該第１のフォーマットが該第２のフォーマットと異なる。具体的には、該第１のフォーマット及び該第２のフォーマットは端末機器が動作する異なるバージョン又は異なるモードでもよい。例えば、該端末機器が第１のフォーマット及び第２のフォーマットをサポートすることは、該端末機器がバージョン１４（ｒｅｌｅａｓｅ  １４、Ｒ１４）をサポートすることを示してもよく、該端末機器がＲ１４モードで動作してもよく、同時に、該端末機器はまたＲ１５をサポートし、Ｒ１５モードで動作してもよく、つまり該端末機器は高動作バージョン及び低動作バージョンの両方を兼ねる。
【０１３６】
本願の実施例では、該端末機器が２つのフォーマットをサポートするため、ネットワーク機器は該端末機器に対してパラメータ情報を送信し、該パラメータ情報は該端末機器が第１のフォーマットでサイドリンク通信を行うときの少なくとも１つのパラメータを含み、さらに第２のフォーマットでサイドリンク通信を行うときの少なくとも１つのパラメータを含む。
【０１３７】
それ相応に、端末機器は該パラメータ情報を受信し、パラメータ情報に含まれる少なくとも１つのパラメータを確定する。具体的には、該端末機器が第１のフォーマットでサイドリンク通信を行うことを選択するとき、それ相応に採用する少なくとも１つのパラメータは第１のフォーマットに対応するパラメータであり、該端末機器が第２のフォーマットでサイドリンク通信を行うことを選択するとき、それ相応に採用する少なくとも１つのパラメータは第２のフォーマットに対応するパラメータである。
【０１３８】
例えば、ここでは該端末機器のサイドリンク動作周波数を確定することを例に、該第１のフォーマットで該動作周波数は２つを含んでもよく、該第２のフォーマットで該動作周波数は３つを含んでもよく、端末機器は同時に第１のフォーマット及び第２のフォーマットをサポートし、つまり該端末機器は該５つの動作周波数をサポートでき、そのため、ネットワーク機器は端末機器に対して第１のフォーマットに対応する２つの動作周波数及び第２のフォーマットに対応する３つの動作周波数を含むパラメータ情報を送信してもよく、これにより第１の端末機器はパラメータ情報に基づき、その動作周波数が第１のフォーマットに対応する２つの動作周波数を含んでもよく、第２のフォーマットに対応する３つの動作周波数を含むと確定し、例えば、該端末機器が第１のフォーマットで動作するとき、第１のフォーマットに対応する２つの動作周波数を選択し、該端末機器が第２のフォーマットで動作するとき、第２のフォーマットに対応する３つの動作周波数を選択し、本願の実施例はこれに限定されない。
【０１３９】
したがって、本願の実施例に係るパラメータ配置のための方法によれば、ネットワーク機器が端末機器に対してパラメータ情報を送信し、該端末機器が第１のフォーマット及び第２のフォーマットでのサイドリンク通信をサポートでき、それ相応に、端末機器が該パラメータ情報に基づき、２つのフォーマットに対応するパラメータを確定できるように、該パラメータ情報に該端末機器の第１のフォーマットに対応するパラメータ及び第２のフォーマットに対応するパラメータを含み、これにより端末機器が異なるフォーマットを選択して動作し、且つ対応するパラメータを採用することを可能にする。
【０１４０】
以上、図９を参照しながら、ネットワーク機器の角度から本願の実施例によるパラメータ配置のための方法について詳細に説明したが、以下、図１０を参照しながら、端末機器の角度から本願の実施例によるパラメータ配置のための方法について説明する。
【０１４１】
図１０は、本願の実施例によるパラメータ配置のための方法１０００を示す概略フローチャートであり、該方法１０００は、端末機器により実行されてもよい。図１０に示すように、該方法１０００は、第１のフォーマット及び第２のフォーマットでのサイドリンク通信をサポートする端末機器が、該端末機器が該第１のフォーマット及び該第２のフォーマットで該サイドリンク通信を行う少なくとも１つのパラメータを含む、ネットワーク機器から送信されたパラメータ情報を受信するＳ１０１０と、該端末機器が該パラメータ情報に基づき、該第１のフォーマットに対応する該少なくとも１つのパラメータ及び該第２のフォーマットに対応する該少なくとも１つのパラメータを確定するＳ１０２０と、を含む。
【０１４２】
１つの実施例において、該少なくとも１つのパラメータは、サイドリンク動作周波数、受信リソースプールパラメータ、送信リソースプールパラメータ、同期参照信号、同期リソースパラメータ、リソース選択パラメータ、レイヤ１配置パラメータのうちの少なくとも１つを含む。
【０１４３】
１つの実施例において、該方法１０００はさらに、該端末機器が該第１のフォーマットに対応する該少なくとも１つのパラメータ又は該第２のフォーマットに対応する該少なくとも１つのパラメータを選択し、該サイドリンク通信を行うステップを含む。
【０１４４】
したがって、本願の実施例に係るパラメータ配置のための方法によれば、端末機器がネットワーク機器から送信されたパラメータ情報を受信し、該端末機器が第１のフォーマット及び第２のフォーマットでのサイドリンク通信をサポートでき、それ相応に、端末機器が該パラメータ情報に基づき、２つのフォーマットに対応するパラメータを確定できるように、該パラメータ情報に第１のフォーマットに対応するパラメータ及び第２のフォーマットに対応するパラメータを含み、これにより端末機器が異なるフォーマットを選択して動作し、且つ対応するパラメータを採用することを可能にする。
【０１４５】
本願の各実施例において、上記各過程の番号の大きさは実行順序の先後を意味するものではなく、各過程の実行順序はその機能及び内部論理で決定され、本願の実施例の実施過程を何ら限定するものではないと理解すべきである。
【０１４６】
また、本明細書において用語「及び／又は」は、関連対象の関連関係を説明するだけであり、３つの関係が存在することを表し、例えば、Ａ及び／又はＢは、Ａが単独に存在し、Ａ及びＢが存在し、Ｂが単独に存在するという３種類を表す。また、本明細書において符号「／」は、一般的に前後の関連対象が「又は」の関係であることを示す。
【０１４７】
以上、図７乃至図１０を参照しながら、本願の実施例によるパラメータ配置のための方法について詳細に説明したが、以下、図１１乃至図１８を参照しながら、本願の実施例によるネットワーク機器及び端末機器について説明する。
【０１４８】
図１１に示すように、本願の実施例によるネットワーク機器１１００は、確定ユニット１１１０と、送信ユニット１１２０と、を含む。
【０１４９】
具体的には、該確定ユニット１１１０は、少なくとも１つの端末機器がサイドリンク通信における少なくとも１つのパラメータを確定するための第１のシステム情報ブロックＳＩＢ及び第２のＳＩＢを確定するために用いられ、該送信ユニット１１２０は、該少なくとも１つの端末機器に対して該第１のＳＩＢ及び該第２のＳＩＢを送信するために用いられる。
【０１５０】
１つの実施例において、該少なくとも１つのパラメータは、サイドリンク動作周波数、受信リソースプールパラメータ、送信リソースプールパラメータ、同期参照信号、同期リソースパラメータ、リソース選択パラメータ、レイヤ１配置パラメータのうちの少なくとも１つを含む。
【０１５１】
１つの実施例において、該少なくとも１つの端末機器は第１の端末機器及び／又は第２の端末機器を含み、該第１の端末機器が第１のフォーマットでの該サイドリンク通信のみをサポートし、該第２の端末機器が第２のフォーマットでの該サイドリンク通信をサポートする。
【０１５２】
１つの実施例において、該第２の端末機器はまた、該第１のフォーマットでの該サイドリンク通信をサポートする。
【０１５３】
１つの実施例において、該第１のＳＩＢは該第１の端末機器が該少なくとも１つのパラメータのうちの第１のパラメータを確定するために用いられ、該第２のＳＩＢは該第２の端末機器が該第１のパラメータを確定するために用いられる。
【０１５４】
１つの実施例において、該第１のＳＩＢにより確定された第１のパラメータは該第１の端末機器が識別子マッピングを行うために用いられ、該第２のＳＩＢにより確定された第１のパラメータは該第２の端末機器が識別子マッピングを行うために用いられる。
【０１５５】
１つの実施例において、該第１のＳＩＢは該第１の端末機器が該少なくとも１つのパラメータのうちの第２のパラメータを確定するために用いられ、該第１のＳＩＢ及び該第２のＳＩＢは該第２の端末機器が該第２のパラメータを確定するために用いられる。
【０１５６】
１つの実施例において、該第１のＳＩＢ及び該第２のＳＩＢにより確定された該第２のパラメータは該第２の端末機器が識別子マッピングを行うために用いられる。
【０１５７】
１つの実施例において、該第１のＳＩＢ及び該第２のＳＩＢにより確定された該第２のパラメータが同じキャリアに対するものであれば、該第１のＳＩＢ及び該第２のＳＩＢにより確定された該第２のパラメータは該第２の端末機器が同じ識別子にマッピングするために用いられる。
【０１５８】
１つの実施例において、該第１のＳＩＢ及び該第２のＳＩＢにより確定された該第２のパラメータは該第２の端末機器が異なる識別子にマッピングするために用いられる。
【０１５９】
１つの実施例において、該第１のＳＩＢ及び該第２のＳＩＢにより確定された該第２のパラメータが異なるキャリアに対するものであれば、該第１のＳＩＢ及び該第２のＳＩＢにより確定された該第２のパラメータは該第２の端末機器が異なる識別子にマッピングするために用いられる。
【０１６０】
１つの実施例において、該第２の端末機器は該第１のフォーマット及び該第２のフォーマットでの該サイドリンク通信をサポートし、該第１のＳＩＢは該第２の端末機器が該第１のフォーマット及び／又は該第２のフォーマットに対応する該第２のパラメータを確定するために用いられる。
【０１６１】
１つの実施例において、該第２のＳＩＢは該第２の端末機器が該第２のフォーマットに対応する該第２のパラメータを確定するために用いられ、或いは、該第２のＳＩＢは該第２の端末機器が該第１のフォーマット及び該第２のフォーマットに対応する該第２のパラメータを確定するために用いられる。
【０１６２】
１つの実施例において、該第１のＳＩＢは該第１の端末機器及び該第２の端末機器が該少なくとも１つのパラメータのうちの第３のパラメータを確定するために用いられる。
【０１６３】
理解されるように、本願の実施例によるネットワーク機器１１００は対応して本願の実施例における方法７００を実行でき、且つネットワーク機器１１００における各ユニットの前述及び他の操作及び／又は機能はそれぞれ図７乃至図８における各方法のネットワーク機器の対応するフローを実現するために用いられ、簡潔にするために、ここでは説明を省略する。
【０１６４】
したがって、本願の実施例に係るネットワーク機器は、少なくとも１つの端末機器に対して第１のＳＩＢ及び第２のＳＩＢを送信し、該少なくとも１つの端末機器に異なるフォーマットでのサイドリンク通信をサポートする端末機器を含んでもよいため、異なる端末機器が受信した該第１のＳＩＢ及び／又は第２のＳＩＢに基づき、少なくとも１つのパラメータを確定し、且つ該少なくとも１つのパラメータに基づいてサイドリンク通信を行うことができ、さらにネットワーク機器がＳＩＢによって少なくとも１つのパラメータの異なるフォーマットでの異なる値をブロードキャストすることを実現し、且つ異なるフォーマットをサポートする端末機器に対応するパラメータを取得させ、これによりパラメータの柔軟な配置を実現する。
【０１６５】
図１２に示すように、本願の実施例による端末機器１２００は、受信ユニット１２１０と、確定ユニット１２２０と、を含む。
【０１６６】
具体的には、該受信ユニット１２１０は、ネットワーク機器から送信された第１のＳＩＢ及び／又は第２のＳＩＢを受信するために用いられ、該確定ユニット１２２０は、受信した該第１のＳＩＢ及び／又は該第２のＳＩＢに基づき、サイドリンク通信における少なくとも１つのパラメータを確定するために用いられる。
【０１６７】
１つの実施例において、該少なくとも１つのパラメータは、サイドリンク動作周波数、受信リソースプールパラメータ、送信リソースプールパラメータ、同期参照信号、同期リソースパラメータ、リソース選択パラメータ、レイヤ１配置パラメータのうちの少なくとも１つを含む。
【０１６８】
１つの実施例において、該端末機器は第１のフォーマットでの該サイドリンク通信のみをサポートする。
【０１６９】
１つの実施例において、該端末機器は該第１のフォーマット及び第２のフォーマットでの該サイドリンク通信をサポートする。
【０１７０】
１つの実施例において、該確定ユニット１２２０は具体的には、受信した該第１のＳＩＢに基づき、該少なくとも１つのパラメータのうちの第１のパラメータを確定するために用いられる。
【０１７１】
１つの実施例において、該確定ユニット１２２０は具体的には、受信した該第１のＳＩＢに基づき、該少なくとも１つのパラメータのうちの第１のパラメータを確定した後、該第１のＳＩＢにより確定された該第１のパラメータのみに基づいて識別子マッピングを行うために用いられる。
【０１７２】
１つの実施例において、該確定ユニット１２２０は具体的には、受信した該第２のＳＩＢに基づき、該少なくとも１つのパラメータのうちの第２のパラメータを確定するために用いられる。
【０１７３】
１つの実施例において、該確定ユニット１２２０は具体的には、受信した該第２のＳＩＢに基づき、該少なくとも１つのパラメータのうちの第２のパラメータを確定した後、該第２のＳＩＢにより確定された該第２のパラメータのみに基づいて識別子マッピングを行うために用いられる。
【０１７４】
１つの実施例において、該確定ユニット１２２０は具体的には、受信した該第１のＳＩＢ及び該第２のＳＩＢに基づき、該少なくとも１つのパラメータのうちの第３のパラメータを確定するために用いられる。
【０１７５】
１つの実施例において、該確定ユニット１２２０は具体的には、受信した該第１のＳＩＢ及び該第２のＳＩＢに基づき、該少なくとも１つのパラメータのうちの第３のパラメータを確定した後、該第１のＳＩＢ及び該第２のＳＩＢにより確定された該第３のパラメータに基づいて識別子マッピングを行うために用いられる。
【０１７６】
１つの実施例において、該確定ユニット１２２０は具体的には、該第１のＳＩＢ及び該第２のＳＩＢにより確定された該第３のパラメータが同じキャリアに対するものであれば、該第１のＳＩＢ及び該第２のＳＩＢにより確定された該第３のパラメータを同じ識別子にマッピングするために用いられる。
【０１７７】
１つの実施例において、該確定ユニット１２２０は具体的には、該第１のＳＩＢ及び該第２のＳＩＢにより確定された該第３のパラメータを異なる識別子にマッピングするために用いられる。
【０１７８】
１つの実施例において、該確定ユニット１２２０は具体的には、該第１のＳＩＢ及び該第２のＳＩＢにより確定された該第３のパラメータが異なるキャリアに対するものであれば、該第１のＳＩＢ及び該第２のＳＩＢにより確定された該第３のパラメータを異なる識別子にマッピングするために用いられる。
【０１７９】
１つの実施例において、該端末機器は第１のフォーマット及び第２のフォーマットでの該サイドリンク通信をサポートし、該確定ユニット１２２０は具体的には、該第１のＳＩＢに基づき、該第１のフォーマット及び／又は該第２のフォーマットに対応する該第３のパラメータを確定するために用いられる。
【０１８０】
１つの実施例において、該確定ユニット１２２０は具体的には、該第２のＳＩＢに基づき、該第２のフォーマットに対応する該第２のパラメータを確定し、或いは、該第２のＳＩＢに基づき、該第１のフォーマット及び該第２のフォーマットに対応する該第３のパラメータを確定するために用いられる。
【０１８１】
理解されるように、本願の実施例による端末機器１２００は対応して本願の実施例における方法８００を実行でき、且つ端末機器１２００における各ユニットの前述及び他の操作及び／又は機能はそれぞれ図７乃至図８における各方法の端末機器の対応するフローを実現するために用いられ、簡潔にするために、ここでは説明を省略する。
【０１８２】
したがって、本願の実施例に係る端末機器は、ネットワーク機器から送信された第１のＳＩＢ及び／又は第２のＳＩＢを受信し、該端末機器は、１つ又は複数のフォーマットでのサイドリンク通信をサポートでき、該端末機器は、受信した該第１のＳＩＢ及び／又は第２のＳＩＢに基づき、対応する少なくとも１つのパラメータを確定し、且つ該少なくとも１つのパラメータに基づいてサイドリンク通信を行うことができ、さらにネットワーク機器がＳＩＢによって１つのパラメータの異なるフォーマットでの異なる値をブロードキャストすることを実現し、且つ異なるフォーマットをサポートする端末機器に対応するパラメータを取得させ、これによりパラメータの柔軟な配置を実現する。
【０１８３】
図１３に示すように、本願の実施例によるネットワーク機器１３００は、確定ユニット１３１０と、送信ユニット１３２０と、を含む。
【０１８４】
具体的には、該確定ユニット１３１０は、第１のフォーマット及び第２のフォーマットでのサイドリンク通信をサポートする端末機器の、該端末機器が該第１のフォーマット及び該第２のフォーマットで該サイドリンク通信を行う少なくとも１つのパラメータを含むパラメータ情報を確定するために用いられ、該送信ユニット１３２０は、該端末機器に対して、該端末機器が該少なくとも１つのパラメータを確定するための該パラメータ情報を送信するために用いられる。
【０１８５】
１つの実施例において、該少なくとも１つのパラメータは、サイドリンク動作周波数、受信リソースプールパラメータ、送信リソースプールパラメータ、同期参照信号、同期リソースパラメータ、リソース選択パラメータ、レイヤ１配置パラメータのうちの少なくとも１つを含む。
【０１８６】
理解されるように、本願の実施例によるネットワーク機器１３００は対応して本願の実施例における方法９００を実行でき、且つネットワーク機器１３００における各ユニットの前述及び他の操作及び／又は機能はそれぞれ図９乃至図１０における各方法のネットワーク機器の対応するフローを実現するために用いられ、簡潔にするために、ここでは説明を省略する。
【０１８７】
したがって、本願の実施例に係るネットワーク機器は、端末機器に対してパラメータ情報を送信し、該端末機器が第１のフォーマット及び第２のフォーマットでのサイドリンク通信をサポートでき、それ相応に、端末機器が該パラメータ情報に基づき、２つのフォーマットに対応するパラメータを確定できるように、該パラメータ情報に該端末機器の第１のフォーマットに対応するパラメータ及び第２のフォーマットに対応するパラメータを含み、これにより端末機器が異なるフォーマットを選択して動作し、且つ対応するパラメータを採用することを可能にする。
【０１８８】
図１４に示すように、本願の実施例による端末機器１４００は、受信ユニット１４１０と、確定ユニット１４２０と、を含み、１つの実施例において、さらに処理ユニット１４３０を含んでもよい。
【０１８９】
具体的には、該受信ユニット１４１０は、第１のフォーマット及び第２のフォーマットでのサイドリンク通信をサポートする端末機器が該第１のフォーマット及び該第２のフォーマットで該サイドリンク通信を行う少なくとも１つのパラメータを含む、ネットワーク機器から送信されたパラメータ情報を受信するために用いられ、該確定ユニット１４２０は、該パラメータ情報に基づき、該第１のフォーマットに対応する該少なくとも１つのパラメータ及び該第２のフォーマットに対応する該少なくとも１つのパラメータを確定するために用いられる。
【０１９０】
１つの実施例において、該少なくとも１つのパラメータは、サイドリンク動作周波数、受信リソースプールパラメータ、送信リソースプールパラメータ、同期参照信号、同期リソースパラメータ、リソース選択パラメータ、レイヤ１配置パラメータのうちの少なくとも１つを含む。
【０１９１】
１つの実施例において、該処理ユニット１４３０は、該第１のフォーマットに対応する該少なくとも１つのパラメータ又は該第２のフォーマットに対応する該少なくとも１つのパラメータを選択し、該サイドリンク通信を行うために用いられる。
【０１９２】
理解されるように、本願の実施例による端末機器１４００は対応して本願の実施例における方法１０００を実行でき、且つ端末機器１４００における各ユニットの前述及び他の操作及び／又は機能はそれぞれ図９乃至図１０における各方法の端末機器の対応するフローを実現するために用いられ、簡潔にするために、ここでは説明を省略する。
【０１９３】
したがって、本願の実施例に係る端末機器は、ネットワーク機器から送信されたパラメータ情報を受信し、該端末機器が第１のフォーマット及び第２のフォーマットでのサイドリンク通信をサポートでき、それ相応に、端末機器が該パラメータ情報に基づき、２つのフォーマットに対応するパラメータを確定できるように、該パラメータ情報に第１のフォーマットに対応するパラメータ及び第２のフォーマットに対応するパラメータを含み、これにより端末機器が異なるフォーマットを選択して動作し、且つ対応するパラメータを採用することを可能にする。
【０１９４】
図１５は、本願の実施例による通信機器１５００の概略構造図である。図１５に示される通信機器１５００は、プロセッサ１５１０を含み、プロセッサ１５１０は、メモリからコンピュータプログラムを呼び出して実行することで、本願の実施例における方法を実現することができる。
【０１９５】
１つの実施例において、図１５に示すように、通信機器１５００はさらにメモリ１５２０を含んでもよい。ただし、プロセッサ１５１０は、メモリ１５２０からコンピュータプログラムを呼び出して実行することで、本願の実施例における方法を実現することができる。
【０１９６】
ただし、メモリ１５２０は、プロセッサ１５１０と独立したデバイスであってもよく、プロセッサ１５１０に集積されてもよい。
【０１９７】
１つの実施例において、図１５に示すように、通信機器１５００はさらに送受信機１５３０を含んでもよく、プロセッサ１５１０は該送受信機１５３０が他の機器と通信し、具体的には、他の機器に対して情報又はデータを送信し、或いは他の機器から送信された情報又はデータを受信するように制御することができる。
【０１９８】
ただし、送受信機１５３０は、送信機及び受信機を含んでもよい。送受信機１５３０はさらに、アンテナを含んでもよく、アンテナの数が１つ又は複数であってもよい。
【０１９９】
１つの実施例において、該通信機器１５００は、本願の実施例に係るネットワーク機器であってもよく、且つ該通信機器１５００は、本願の実施例に係る各方法においてネットワーク機器により実現される対応するフローを実現してもよく、簡潔にするために、ここでは説明を省略する。
【０２００】
１つの実施例において、該通信機器１５００は、本願の実施例に係る端末機器であってもよく、且つ該通信機器１５００は、本願の実施例に係る各方法において端末機器により実現される対応するフローを実現してもよく、簡潔にするために、ここでは説明を省略する。
【０２０１】
図１６は、本願の実施例によるチップの概略構造図である。図１６に示されるチップ１６００は、プロセッサ１６１０を含み、プロセッサ１６１０は、メモリからコンピュータプログラムを呼び出して実行することで、本願の実施例における方法を実現することができる。
【０２０２】
１つの実施例において、図１６に示すように、チップ１６００はさらにメモリ１６２０を含んでもよい。ただし、プロセッサ１６１０は、メモリ１６２０からコンピュータプログラムを呼び出して実行することで、本願の実施例における方法を実現することができる。
【０２０３】
ただし、メモリ１６２０は、プロセッサ１６１０と独立したデバイスであってもよく、プロセッサ１６１０に集積されてもよい。
【０２０４】
１つの実施例において、該チップ１６００はさらに入力インタフェース１６３０を含んでもよい。ただし、プロセッサ１６１０は該入力インタフェース１６３０が他の機器又はチップと通信し、具体的には、他の機器又はチップから送信された情報又はデータを取得するように制御することができる。
【０２０５】
１つの実施例において、該チップ１６００はさらに出力インタフェース１６４０を含んでもよい。ただし、プロセッサ１６１０は該出力インタフェース１６４０が他の機器又はチップと通信し、具体的には、他の機器又はチップに対して情報又はデータを出力するように制御することができる。
【０２０６】
１つの実施例において、該チップは本願の実施例におけるネットワーク機器に適用でき、且つ該チップは本願の実施例に係る各方法においてネットワーク機器により実現される対応するフローを実現してもよく、簡潔にするために、ここでは説明を省略する。
【０２０７】
１つの実施例において、該チップは本願の実施例における端末機器に適用でき、且つ該チップは本願の実施例に係る各方法において端末機器により実現される対応するフローを実現してもよく、簡潔にするために、ここでは説明を省略する。
【０２０８】
理解されるように、本願の実施例で言及されているチップはシステムレベルチップ、システムチップ、チップシステム又はシステムオンチップ等とも呼ばれてもよい。
【０２０９】
なお、本願の上記方法の実施例はプロセッサに適用されてもよく、或いはプロセッサにより実現されてもよい。プロセッサは信号の処理能力を有する集積回路チップである可能性がある。実現過程で、上記方法の実施例の各ステップは、プロセッサにおけるハードウェアの集積論理回路又はソフトウェア形態のコマンドを介して完了することができる。上記プロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）又は他のプログラマブル論理デバイス、離散ゲート又はトランジスタ論理デバイス、離散ハードウェアコンポーネントであってもよい。本願の実施例に開示されている各方法、ステップ及び論理ブロック図を実現又は実行できる。汎用プロセッサは、マイクロプロセッサであってもよく、又は当該プロセッサは、任意の通常のプロセッサ等であってもよい。本願の実施例に開示されている方法に係るステップは、直接ハードウェアデコードプロセッサにより実行を完了してもよく、又はデコードプロセッサにおけるハードウェア及びソフトウェアモジュールを組み合わせて実行を完了してもよい。ソフトウェアモジュールは、ランダムアクセスメモリ、フラッシュメモリ、読み出し専用メモリ、プログラマブル読み出し専用メモリ又は電子的消去可能プログラマブルメモリ、レジスタ等の本分野で成熟した記憶媒体に位置する。当該記憶媒体は、メモリにあり、プロセッサは、メモリの情報を読み取り、そのハードウェアと組み合わせて上記方法のステップを完了する。
【０２１０】
理解されるように、本願の実施例におけるメモリは、揮発性メモリ又は不揮発性メモリであってもよく、又は揮発性メモリと不揮発性メモリの両者を含んでもよい。ただし、不揮発性メモリは、読み出し専用メモリ（ｒｅａｄ−ｏｎｌｙ  ｍｅｍｏｒｙ、ＲＯＭ）、プログラマブル読み出し専用メモリ（ｐｒｏｇｒａｍｍａｂｌｅ  ＲＯＭ、ＰＲＯＭ）、消去可能プログラマブル読み出し専用メモリ（ｅｒａｓａｂｌｅ  ＰＲＯＭ、ＥＰＲＯＭ）、電子的消去可能プログラマブル読み出し専用メモリ（ｅｌｅｃｔｒｉｃａｌｌｙ  ＥＰＲＯＭ、ＥＥＰＲＯＭ）又はフラッシュメモリであってもよい。揮発性メモリは、ランダムアクセスメモリ（ｒａｎｄｏｍ  ａｃｃｅｓｓ  ｍｅｍｏｒｙ、ＲＡＭ）であってもよく、外部高速キャッシュとして用いられる。制限的ではなく例示的な説明により、例えばスタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、シンクロナスダイナミックランダムアクセスメモリ（ｓｙｎｃｈｒｏｎｏｕｓ  ＤＲＡＭ、ＳＤＲＡＭ）、ダブルデータレートシンクロナスダイナミックランダムアクセスメモリ（ｄｏｕｂｌｅ  ｄａｔａ  ｒａｔｅ  ＳＤＲＡＭ、ＤＤＲ  ＳＤＲＡＭ）、進化型シンクロナスダイナミックランダムアクセスメモリ（ｅｎｈａｎｃｅｄ  ＳＤＲＡＭ、ＥＳＤＲＡＭ）、シンクリンクダイナミックランダムアクセスメモリ（ｓｙｎｃｈｌｉｎｋ  ＤＲＡＭ、ＳＬＤＲＡＭ）及び直接ランバスランダムアクセスメモリ（ｄｉｒｅｃｔ  ｒａｍｂｕｓ  ＲＡＭ、ＤＲ  ＲＡＭ）等の多くの形態のＲＡＭは使用可能である。なお、本明細書に説明したシステム及び方法のメモリは、これら又は任意の他の適切なタイプのメモリを含むがこれらに限定されない。
【０２１１】
当業者であれば理解できるように、ここにおいて開示される実施例と関係させて説明される様々な例示的なユニット、及びアルゴリズムステップを参照し、電子ハードウェア、又はコンピュータソフトウェアと電子ハードウェアの組合せによって実装でき、これらの機能のハードウェア又はソフトウェアによる実装は、本技術的解決手段の個別的な適用及び設計上の制限となる条件に依存する。当業者は、様々な方法を使用して、説明した機能を具体的な適用ごとに実装してもよいが、その実装は本願の範囲を超えるとは考えるべきではない。
【０２１２】
当業者であれば明確に理解できるであろうが、説明の便宜上及び簡潔化のために、上記説明したシステム、装置及びユニットの具体的な動作過程は、前述した方法の実施例の対応する過程を参照することができるため、ここでは説明を省略する。
【０２１３】
本願によって提供される幾つかの実施例において、指摘するシステム、装置及び方法は、他の形態でも実現できる。例えば、以上で説明した装置の実施例は単なる概略的なものであり、例えば、前記ユニットの区分は、単なる論理機能の区分であって、実際に実現する際には別の区分方式が可能であり、例えば、複数のユニット又はアセンブリは結合し、又は他のシステムに集積でき、又は幾つかの特徴は無視してもよく、又は実行しないようにすることができる。また、表示又は討論する相互間の結合、又は直接結合、又は通信接続は、幾つかのインタフェース、装置、又はユニットの間接結合、又は通信接続によって接続でき、電気、機械、又は他の形式であってもよい。
【０２１４】
分離部材として説明した前記ユニットは、物理的に分離しても、或いは分離しなくてもよく、ユニットとして表示する部材は、物理ユニットであっても、又は物理ユニットでなくてもよく、即ち同一の場所に位置することができ、又は複数のネットワークユニットに配置することもできる。実際の必要に応じて、その一部又は全てのユニットを選択して、本実施例の手段の目的を実現することができる。
【０２１５】
その他、本願の各実施例における各機能ユニットは、同一の処理ユニットに集積することができ、各ユニットは独立して物理的に実在することもでき、２つ、或いは２つ以上のユニットを１つのユニットに集積することもできる。
【０２１６】
前記機能は、ソフトウェア機能ユニットの形式で実現し、且つ独立した製品として販売又は使用する際、１つのコンピュータ読み取り可能な記憶媒体に記憶させることができる。本願の技術的解決手段は本質的に、従来技術に対する貢献部分を、又は技術的解決手段の一部を、ソフトウェア製品の形式で示すことができるという理解に基づき、当該コンピュータソフトウェア製品は、１つの記憶媒体に記憶され、それは１台のコンピュータ機器（パーソナルコンピュータ、サーバ、又はネットワーク機器等）が、本願の各実施例における方法のステップの全て又は一部を実行するための複数のコマンドを含む。前述した記憶媒体は、ＵＳＢメモリ、モバイルハードディスク、読み出し専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク又は光ディスク等のプロクラムコードを記憶できる種々の媒体を含む。
【０２１７】
以上に記述されたのは、本願の具体的な実施形態だけであり、本願の範囲はこれに限定されるものではなく、当業者であれば本願に開示された技術的範囲内で、想到し得る変更又は置換は、いずれも本願の範囲に属する。したがって、本願の保護範囲は特許請求の保護範囲に準じるものとする。
【手続補正２】
【補正対象書類名】特許請求の範囲
【補正対象項目名】全文
【補正方法】変更
【補正の内容】
【特許請求の範囲】
【請求項１】
端末機器であって、
ネットワーク機器から送信されたシステム情報ブロックＳＩＢを受信するための受信ユニットと、
前記ＳＩＢに基づき、前記端末機器が他の端末機器から送信されたデータを受信するために用いられ、前記ネットワーク機器により割り当てられた複数の受信リソースプールのうちの少なくとも１つの受信リソースプールを確定するための確定ユニットと、を含むことを特徴とする端末機器。
【請求項２】
前記少なくとも１つの受信リソースプールは、前記端末機器が前記ネットワーク機器から送信された同期参照信号に基づいて確定した第１の同期参照元に対応する第１の受信リソースプールを含むことを特徴とする請求項１に記載の端末機器。
【請求項３】
前記少なくとも１つの受信リソースプールは、前記端末機器がＧＮＳＳから送信されたＧＮＳＳ信号に基づいて確定したグローバルナビゲーション衛星システムＧＮＳＳ同期参照元を含むことを特徴とする請求項１又は請求項２に記載の端末機器。
【請求項４】
前記少なくとも１つの受信リソースプールは、前記端末機器が前記ネットワーク機器の少なくとも１つの隣接するネットワーク機器から送信された同期参照信号に基づいて確定した少なくとも１つの第２の同期参照元を含むことを特徴とする請求項１乃至請求項３のいずれか一項に記載の端末機器。
【請求項５】
前記受信ユニットはさらに、
前記複数の受信リソースプールのうちの、対応する同期参照元が前記少なくとも１つの受信リソースプールに対応する同期参照元と異なる他の受信リソースプールを指示するために用いられ、前記ネットワーク機器から送信された専用無線リソース制御ＲＲＣシグナリングを受信するために用いられることを特徴とする請求項１乃至請求項４のいずれか一項に記載の端末機器。
【請求項６】
前記他の受信リソースプールは、前記端末機器が前記ネットワーク機器の少なくとも１つの隣接するネットワーク機器から送信された同期参照信号に基づいて確定した少なくとも１つの第２の同期参照元を含むことを特徴とする請求項５に記載の端末機器。
【請求項７】
前記端末機器がアイドル状態になり、前記確定ユニットはさらに、
前記少なくとも１つの受信リソースプールが目標受信リソースプールを含まないと、前記アイドル状態から接続状態に切り替えるために用いられることを特徴とする請求項５又は請求項６に記載の端末機器。
【請求項８】
端末機器であって、
ネットワーク機器から送信された第１のシステム情報ブロックＳＩＢ及び／又は第２のＳＩＢを受信するための受信ユニットと、
受信した前記第１のＳＩＢ及び／又は前記第２のＳＩＢに基づき、サイドリンク通信における少なくとも１つのパラメータを確定するための確定ユニットと、を含むことを特徴とする端末機器。
【請求項９】
前記少なくとも１つのパラメータは、
サイドリンク動作周波数、受信リソースプールパラメータ、送信リソースプールパラメータ、同期参照信号、同期リソースパラメータ、リソース選択パラメータ、レイヤ１配置パラメータのうちの少なくとも１つを含むことを特徴とする請求項８に記載の端末機器。
【請求項１０】
前記端末機器は第１のフォーマットでの前記サイドリンク通信のみをサポートすることを特徴とする請求項８又は請求項９に記載の端末機器。
【請求項１１】
前記端末機器は前記第１のフォーマット及び第２のフォーマットでの前記サイドリンク通信をサポートすることを特徴とする請求項８又は請求項９に記載の端末機器。
【請求項１２】
前記確定ユニットは具体的には、
受信した前記第１のＳＩＢに基づき、前記端末機器が前記少なくとも１つのパラメータのうちの第１のパラメータを確定するために用いられることを特徴とする請求項８乃至請求項１１のいずれか一項に記載の端末機器。
【請求項１３】
前記確定ユニットは具体的には、
受信した前記第２のＳＩＢに基づき、前記少なくとも１つのパラメータのうちの第２のパラメータを確定するために用いられることを特徴とする請求項８乃至請求項１２のいずれか一項に記載の端末機器。
【請求項１４】
前記確定ユニットは具体的には、
受信した前記第１のＳＩＢ及び前記第２のＳＩＢに基づき、前記少なくとも１つのパラメータのうちの第３のパラメータを確定するために用いられることを特徴とする請求項８乃至請求項１３のいずれか一項に記載の端末機器。
【請求項１５】
端末機器であって、
第１のフォーマット及び第２のフォーマットでのサイドリンク通信をサポートする前記端末機器が前記第１のフォーマット及び前記第２のフォーマットで前記サイドリンク通信を行う少なくとも１つのパラメータを含む、ネットワーク機器から送信されたパラメータ情報を受信するための受信ユニットと、
前記パラメータ情報に基づき、前記第１のフォーマットに対応する前記少なくとも１つのパラメータ及び前記第２のフォーマットに対応する前記少なくとも１つのパラメータを確定するための確定ユニットと、を含むことを特徴とする端末機器。